(57)【要約】【課題】表示装置の大型化に伴うタッチ感度の低下防止と寄生静電容量の低減によるタッチ感度の向上を実現するタッチセンサ一体型表示装置を提供する。【解決手段】本発明によるタッチセンサ一体型表示装置は、互いに交差するよう配列されるゲート線及びデータ線と、画素電極と、複数のタッチ及び共通電極と、第１−１、第１−２、第２−１及び第２−２ルーティング配線とを含む。第１−１及び第２−２ルーティング配線は、奇数番目の行の奇数番目の列に配置された第１−１タッチ及び共通電極と偶数番目の行の偶数番目の列に配置された第２−２タッチ及び共通電極に各々接続されて第１方向又は第２方向に配列される。第１−２及び第２−１ルーティング配線は、奇数番目の行の偶数番目の列に配置された第１−２タッチ及び共通電極と偶数番目の行の奇数番目の列に配置された第２−１タッチ及び共通電極に各々接続され、第２方向又は第１方向に配列される。【選択図】図３
2016126778.tif 000002
【特許請求の範囲】
【請求項１】
互いに交差するように配列される複数のゲートライン及び複数のデータラインと、
前記複数のデータラインの間に配置される複数の画素電極と、
各々が少なくとも１つ以上の画素電極と重畳するように配置され、互いに交差する第１方向及び第２方向に配列された複数のタッチ及び共通電極と、
前記複数のタッチ及び共通電極の内の奇数番目の行の奇数番目の列に配置された第１−１タッチ及び共通電極にそれぞれ接続されて互いに交差する前記第１方向及び前記第２方向の内の一方向に並行するように配列される第１−１ルーティング配線と、
前記複数のタッチ及び共通電極の内の奇数番目の行の偶数番目の列に配置された第１−２タッチ及び共通電極にそれぞれ接続され、前記第１方向及び前記第２方向の内の他方向に並行するように配列される第１−２ルーティング配線と、
前記複数のタッチ及び共通電極の内の偶数番目の行の奇数番目の列に配置された第２−１タッチ及び共通電極にそれぞれ接続され、前記第１方向及び前記第２方向の内の前記他方向に並行するように配列される第２−１ルーティング配線と、
前記複数のタッチ及び共通電極の内の偶数番目の行の偶数番目の列に配置された第２−２タッチ及び共通電極にそれぞれ接続され、前記第１方向及び前記第２方向の内の前記一方向に並行するように配列される第２−２ルーティング配線と、
を含むことを特徴とする、タッチセンサ一体型表示装置。
【請求項２】
前記第１−１ルーティング配線及び前記第２−２ルーティング配線が前記第１方向に並行するように配置されたときに、前記第１−２及び第２−１ルーティング配線は、前記第２方向に並行するように配置され、
前記第１−１及び第２−２ルーティング配線が前記第２方向に並行するように配置されたときに、前記第１−２及び第２−１ルーティング配線は、前記第１方向に並行するように配置されることを特徴とする、請求項１に記載のタッチセンサ一体型表示装置。
【請求項３】
前記複数のゲートラインと前記複数のデータラインとに接続される複数の薄膜トランジスタをさらに含み、
前記画素電極は、前記複数の薄膜トランジスタを被覆する絶縁膜上に配置され、前記薄膜トランジスタに接続され、
前記第１−２ルーティング配線及び前記第２−１ルーティング配線は、前記画素電極を被覆する第１保護膜上に互いに並行するように配置され、
前記第１−１ルーティング配線及び前記第２−２ルーティング配線は、前記第１−２ルーティング配線及び前記第２−１ルーティング配線を被覆する第２保護膜上に互いに並行するように配置され、
前記複数のタッチ及び共通電極は、前記第１−１ルーティング配線及び前記第２−２ルーティング配線を被覆する第３保護膜上に配置されることを特徴とする、請求項２に記載のタッチセンサ一体型表示装置。
【請求項４】
前記第１−１タッチルーティング配線は、前記第３保護膜を貫通する第１コンタクトホールを介して前記第１−１タッチ及び共通電極に接続され、前記第２−２タッチルーティング配線は、前記第３保護膜を貫通する第２コンタクトホールを介して前記第２−２タッチ及び共通電極に接続されることを特徴とする、請求項３に記載のタッチセンサ一体型表示装置。
【請求項５】
前記第１−２タッチルーティング配線は、前記第２保護膜及び前記第３保護膜を貫通する第３コンタクトホールを介して前記第１−２タッチ及び共通電極に接続され、前記第２−１タッチルーティング配線は、前記第２保護膜及び前記第３保護膜を貫通する第４コンタクトホールを介して第２−１タッチ及び共通電極に接続されることを特徴とする、請求項４に記載のタッチセンサ一体型表示装置。
【請求項６】
前記第１−１ルーティング配線及び前記第２−２ルーティング配線が前記第１方向に並行するように配置され、前記第１−２ルーティング配線及び前記第２−１ルーティング配線が前記第２方向に並行するように配置されたとき、前記第１−１ルーティング配線及び前記第２−２ルーティング配線は、前記ゲートラインと重畳するように配置され、前記第１−２ルーティング配線及び前記第２−１ルーティング配線は、前記データラインと重畳するように配置され、
前記第１−１ルーティング配線及び前記第２−２ルーティング配線が前記第２方向に並行するように配置され、前記第１−２ルーティング配線及び前記第２−１ルーティング配線が前記第１方向に並行するように配置されたとき、前記第１−１ルーティング配線及び前記第２−２ルーティング配線は、前記データラインと重畳するように配置され、前記第１−２ルーティング配線及び前記第２−１ルーティング配線は、前記ゲートラインと重畳するように配置されることを特徴とする、請求項３に記載のタッチセンサ一体型表示装置。
【請求項７】
前記複数のゲートラインと前記複数のデータラインとに接続される複数の薄膜トランジスタをさらに含み、
前記第１−１ルーティング配線及び前記第２−２ルーティング配線は、前記ゲートラインと同一層で前記ゲートラインと並行するように配列され、
前記データラインは、基板上に配置される前記ゲートラインと前記第１−１ルーティング配線及び前記第２−２ルーティング配線を被覆するゲート絶縁膜上に配置され、
前記画素電極は、前記データラインと同一層に配置された前記薄膜トランジスタのドレイン電極に接続され、
前記第１−２ルーティング配線及び前記第２−１ルーティング配線は、前記画素電極を被覆する第１保護膜上に互いに並行するように配置され、
前記複数のタッチ及び共通電極は、前記第１−２ルーティング配線及び前記第２−１ルーティング配線を被覆する第２保護膜上に配置されることを特徴とする、請求項１に記載のタッチセンサ一体型表示装置。
【請求項８】
前記第１−１タッチ及び共通電極は、前記第１−１ルーティング配線を露出させる第１コンタクトホールを介して前記第１−１ルーティング配線に接続され、前記第２−２タッチ及び共通電極は、前記第２−２ルーティング配線を露出させる第２コンタクトホールを介して前記第２−２ルーティング配線に接続されることを特徴とする、請求項７に記載のタッチセンサ一体型表示装置。
【請求項９】
前記第１−２タッチ及び共通電極は、前記第２保護膜を貫通する第３コンタクトホールを介して前記第１−２ルーティング配線に接続され、
第２−１タッチ及び共通電極は、前記第２保護膜を貫通する第４コンタクトホールを介して前記第２−１ルーティング配線に接続されることを特徴とする、請求項８に記載のタッチセンサ一体型表示装置。
【請求項１０】
前記第１−１ルーティング配線及び前記第２−２ルーティング配線が前記第１方向に並行するように配置され、前記第１−２ルーティング配線及び前記第２−１ルーティング配線が前記第２方向に並行するように配置されたとき、前記第１−１ルーティング配線及び前記第２−２ルーティング配線は、前記ゲートラインと重畳せずに並行するように配置され、前記第１−２ルーティング配線及び前記第２−１ルーティング配線は、前記データラインと重畳するように配置され、
前記第１−１ルーティング配線及び前記第２−２ルーティング配線が前記第２方向に並行するように配置され、前記第１−２ルーティング配線及び前記第２−１ルーティング配線が前記第１方向に並行するように配置されたとき、前記第１−１ルーティング配線及び前記第２−２ルーティング配線は、前記データラインと重畳するように配置され、前記第１−２ルーティング配線及び前記第２−１ルーティング配線は、前記ゲートラインと重畳せずに並行するように配置されることを特徴とする、請求項７に記載のタッチセンサ一体型表示装置。
【請求項１１】
ディスプレイ駆動期間の間、前記複数のタッチ及び共通電極に共通電圧が供給され、
タッチ駆動期間の間、前記複数のタッチ及び共通電極にタッチ駆動電圧が供給され、前記複数のゲートラインと前記複数のデータラインに該タッチ駆動電圧が供給されることを特徴とする、請求項１乃至１０に記載のタッチセンサ一体型表示装置。
【請求項１２】
前記ディスプレイ駆動期間中に、前記共通電圧は、第１マルチプレクサを介して前記タッチ及び共通電極に供給され、ゲートハイ電圧が第２マルチプレクサを介して順次的に前記ゲートラインに供給され、データ電圧が第３マルチプレクサを介して前記データラインに供給され、前記ゲートハイ電圧が供給されていないゲートラインにゲートロー電圧が供給されることを特徴とする、請求項１１に記載のタッチセンサ一体型表示装置。
【請求項１３】
前記タッチ駆動期間の間に、前記タッチ駆動電圧は、前記第１マルチプレクサを介して前記タッチ及び共通電極に供給され、且つ、前記第２マルチプレクサを介して前記ゲートラインに供給され、且つ、前記第３マルチプレクサを介して前記データラインに供給されることを特徴とする、請求項１２に記載のタッチセンサ一体型表示装置。
【請求項１４】
互いに交差するように配列される複数のゲートライン及び複数のデータラインと、
前記複数のデータライン間に配置される複数の画素電極と、
それぞれが少なくとも一つの画素電極と重畳するように配置され、互いに交差する第１方向及び第２方向に配列された複数のタッチ及び共通電極と、
前記複数のタッチ及び共通電極の内、第１部分集合（subset）のタッチ及び共通電極のそれぞれに接続されて前記第１方向に配列される第１グループのルーティング配線と、
前記複数のタッチ及び共通電極の内、第２部分集合（subset）のタッチ及び共通電極のそれぞれに接続され、前記第２方向に配列される第２グループのルーティング配線と、
を含む、タッチセンサ一体型表示装置。
【請求項１５】
前記第１グループのルーティング配線に属するルーティング配線の長さは、互いに同一であり、
前記第２グループのルーティング配線に属するルーティング配線の長さは互いに同一である、請求項１４に記載のタッチセンサ一体型表示装置。
【請求項１６】
前記第１方向は、前記ゲートラインの配列方向と同一であり、前記第２方向は、前記データラインの配列方向と同一である、請求項１４に記載のタッチセンサ一体型表示装置。
【請求項１７】
前記第１方向は、前記データラインの配列方向と同一であり、前記第２方向は前記ゲートラインの配列方向と同一である、請求項１４に記載のタッチセンサ一体型表示装置。
【請求項１８】
前記第１部分集合及び第２部分集合のタッチ及び共通電極は、互いに交互に配置され前記第１方向にタッチ及び共通電極の行（row）をなす、請求項１４に記載のタッチセンサ一体型表示装置。
【請求項１９】
前記第１部分集合及び第２部分集合のタッチ及び共通電極は、互いに交互に配置され前記第２方向にタッチ及び共通電極の列（column）をなす、請求項１４に記載のタッチセンサ一体型表示装置。
【請求項２０】
前記第１グループのルーティング配線に接続される第１ドライブＩＣと、
前記第２グループのルーティング配線に接続される第２ドライブＩＣと、
をさらに含む、請求項１４から１９のいずれか一項に記載のタッチセンサ一体型表示装置。
【請求項２１】
前記第１ドライブＩＣは、１フレーム期間のディスプレイ駆動期間の間に前記第１部分集合のタッチ及び共通電極に共通電圧を供給し、前記１フレーム期間のタッチ駆動期間の間に前記第１部分集合のタッチ及び共通電極にタッチ駆動電圧を供給し、
前記第２ドライブＩＣは、１フレーム期間のディスプレイ駆動期間の間に前記第２部分集合のタッチ及び共通電極に前記共通電圧を供給し、前記１フレーム期間のタッチ駆動期間の間に前記第２部分集合のタッチ及び共通電極に前記タッチ駆動電圧を供給し、
前記タッチ駆動期間の間に前記ゲートラインに前記タッチ駆動電圧と同一位相及び同一振幅の第１電圧が供給され、前記データラインには、前記タッチ駆動電圧と同一位相及び同一振幅の第２電圧が供給される、請求項２０に記載のタッチセンサ一体型表示装置。
【請求項２２】
互いに交差するように配列される複数のゲートライン及び複数のデータラインと、
前記複数のデータラインの間に配置される複数の画素電極と、
それぞれが少なくとも一つの画素電極と重畳するように配置され、互いに交差する第1方向と第２方向に配列された複数のタッチ及び共通電極と、
前記複数のタッチ及び共通電極の内、第１部分集合（subset）のタッチ及び共通電極のそれぞれに接続され前記第１方向に配列される第１グループのルーティング配線と、
前記複数のタッチ及び共通電極のうち、第２部分集合（subset）のタッチ及び共通電極のそれぞれに接続され、前記第２方向に配列される第２グループのルーティング配線と、
前記複数のタッチ及び共通電極の内、第３部分集合（subset）のタッチ及び共通電極に接続され、前記第１方向と反対方向の第３方向に配列される第３グループのルーティング配線と、
前記複数のタッチ及び共通電極の内、第４部分集合（subset）のタッチ及び共通電極に接続され、前記第２方向に配列される第４グループのルーティング配線と、
を含む、タッチセンサ一体型表示装置。
【請求項２３】
前記複数のタッチ及び共通電極の内、第５部分集合（subset）のタッチ及び共通電極に接続され、前記第１方向に配列される第５グループのルーティング配線と、
前記複数のタッチ及び共通電極の内、第６部分集合（subset）のタッチ及び共通電極に接続され、前記第２方向と反対方向である第４方向に配列される第６グループのルーティング配線と、
前記複数のタッチ及び共通電極の内、第７部分集合（subset）のタッチ及び共通電極に接続され、前記第３方向に配列される第７グループのルーティング配線と、
前記複数のタッチ及び共通電極の内、第８部分集合（subset）のタッチ及び共通電極に接続され、前記第４方向に配列される第８グループのルーティング配線をさらに含む、請求項２２に記載のタッチセンサ一体型表示装置。
【請求項２４】
前記第１グループのルーティング配線に属するルーティング配線の長さは、互いに同一であり、
前記第２グループのルーティング配線に属するルーティング配線の長さは、互いに同一であり、
前記第３グループのルーティング配線に属するルーティング配線の長さは、互いに同一であり、
前記第４グループのルーティング配線に属するルーティング配線の長さは、互いに同一であり、
前記第５グループのルーティング配線に属するルーティング配線の長さは、互いに同一であり、
前記第６グループのルーティング配線に属するルーティング配線の長さは、互いに同一であり、
前記第７グループのルーティング配線に属するルーティング配線の長さは、互いに同一であり、
前記第８グループのルーティング配線に属するルーティング配線の長さは、互いに同一である、請求項２３に記載のタッチセンサ一体型表示装置。
【請求項２５】
前記第１方向及び第３方向は、前記ゲートラインの配列方向と同一であり、前記第２方向及び第４方向は、前記データラインの配列方向と同一である、請求項２３に記載のタッチセンサ一体型表示装置。
【請求項２６】
前記第１方向及び第３方向は、前記データラインの配列方向と同一であり、前記第２方向及び第４方向は、前記ゲートラインの配列方向と同一である、請求項２３に記載のタッチセンサ一体型表示装置。
【請求項２７】
前記第１グループのルーティング配線に接続される第１ドライブＩＣと、
前記第２グループのルーティング配線に接続される第２ドライブＩＣと、
前記第３グループのルーティング配線に接続される第３ドライブＩＣと、
前記第４グループのルーティング配線に接続される第４ドライブＩＣと、
をさらに含む、請求項２２に記載のタッチセンサ一体型表示装置。
【請求項２８】
前記第１ドライブＩＣは、１フレーム期間のディスプレイ駆動期間の間に前記第1部分集合のタッチ及び共通電極に共通電圧を供給し、前記１フレーム期間のタッチ駆動期間の間に前記第１部分集合のタッチ及び共通電極にタッチ駆動電圧を供給し、
前記第２ドライブＩＣは、１フレーム期間のディスプレイ駆動期間の間に前記第２部分集合のタッチ及び共通電極に前記共通電圧を供給し、前記１フレーム期間のタッチ駆動期間の間に前記第２部分集合のタッチ及び共通電極に前記タッチ駆動電圧を供給し、
前記第３ドライブＩＣは、１フレーム期間のディスプレイ駆動期間の間に前記第３部分集合のタッチ及び共通電極に共通電圧を供給し、前記１フレーム期間のタッチ駆動期間の間に前記第３部分集合のタッチ及び共通電極にタッチ駆動電圧を供給し、
前記第４ドライブＩＣは、１フレーム期間のディスプレイ駆動期間の間に、前記第４部分集合のタッチ及び共通電極に前記共通電圧を供給し、前記１フレーム期間のタッチ駆動期間の間に、前記第４部分集合のタッチ及び共通電極に前記タッチ駆動電圧を供給し、
前記タッチ駆動期間の間に前記ゲートラインに前記タッチ駆動電圧と同一位相及び同一振幅の第１電圧が供給され、前記データラインには、前記タッチ駆動電圧と同一位相及び同一振幅の第２電圧が供給される、請求項２７に記載のタッチセンサ一体型表示装置。
【請求項２９】
前記第１グループのルーティング配線に接続される第１ドライブＩＣと、
前記第２グループのルーティング配線に接続される第２ドライブＩＣと、
前記第３グループのルーティング配線に接続される第３ドライブＩＣと、
前記第４グループのルーティング配線に接続される第４ドライブＩＣと、
前記第５グループのルーティング配線に接続される第５ドライブＩＣと、
前記第６グループのルーティング配線に接続される第６ドライブＩＣと、
前記第７グループのルーティング配線に接続される第７ドライブＩＣと、
前記第８グループのルーティング配線に接続される第８ドライブＩＣと、
をさらに含む、請求項２３に記載のタッチセンサ一体型表示装置。
【請求項３０】
前記第１ドライブＩＣは、１フレーム期間のディスプレイ駆動期間の間に前記第１部分集合のタッチ及び共通電極に共通電圧を供給し、前記１フレーム期間のタッチ駆動期間の間に前記第１部分集合のタッチ及び共通電極にタッチ駆動電圧を供給し、
前記第２ドライブＩＣは、１フレーム期間のディスプレイ駆動期間の間に前記第２部分集合のタッチ及び共通電極に前記共通電圧を供給し、前記１フレーム期間のタッチ駆動期間の間に前記第２部分集合のタッチ及び共通電極に前記タッチ駆動電圧を供給し、
前記第３ドライブＩＣは、１フレーム期間のディスプレイ駆動期間の間に前記第３部分集合のタッチ及び共通電極に共通電圧を供給し、前記１フレーム期間のタッチ駆動期間の間に前記第３部分集合のタッチ及び共通電極にタッチ駆動電圧を供給し、
前記第４ドライブＩＣは、１フレーム期間のディスプレイ駆動期間の間に、前記第４部分集合のタッチ及び共通電極に前記共通電圧を供給し、前記１フレーム期間のタッチ駆動期間の間に、前記第４部分集合のタッチ及び共通電極に前記タッチ駆動電圧を供給し、
前記第５ドライブＩＣは、１フレーム期間のディスプレイ駆動期間の間に、前記第５部分集合のタッチ及び共通電極に共通電圧を供給し、前記１フレーム期間のタッチ駆動期間の間に、前記第５部分集合のタッチ及び共通電極にタッチ駆動電圧を供給し、
前記第６ドライブＩＣは、１フレーム期間のディスプレイ駆動期間の間に、前記第６部分集合のタッチ及び共通電極に前記共通電圧を供給し、前記１フレーム期間のタッチ駆動期間の間に、前記第６部分集合のタッチ及び共通電極に前記タッチ駆動電圧を供給し、
前記第７ドライブＩＣは、１フレーム期間のディスプレイ駆動期間の間に、
前記第７部分集合のタッチ及び共通電極に共通電圧を供給し、前記１フレーム期間のタッチ駆動期間の間に、前記第７部分集合のタッチ及び共通電極にタッチ駆動電圧を供給し、
前記第８ドライブＩＣは、１フレーム期間のディスプレイ駆動期間の間に、前記第８部分集合のタッチ及び共通電極に前記共通電圧を供給し、前記１フレーム期間のタッチ駆動期間の間に、前記第８部分集合のタッチ及び共通電極に前記タッチ駆動電圧を供給し、
タッチ駆動期間の間に前記ゲートラインに前記タッチ駆動電圧と同一位相及び同一振幅の第１電圧が供給され、前記データラインには、 前記タッチ駆動電圧と同一位相及び同一振幅の第２電圧が供給される、請求項２９に記載のタッチセンサ一体型表示装置。
【発明の詳細な説明】
【技術分野】
【０００１】
本発明は、タッチセンサ一体型表示装置に関し、さらに詳細には、タッチルーティング（touch routing）配線数を減縮させながら、タッチ感度を向上させることができるタッチセンサ一体型表示装置に関する。
【背景技術】
【０００２】
最近、マルチメディア（multimedia）の発達とともに、これを適切に表示することができる表示装置の必要性に応じて、大型化が可能、且つ低価格で、高表示品質（動画表現力、解像度、明るさ、コントラスト（contrast）、及び色再現力など）を有する平面型表示装置（以下、単に「表示装置」と称する）の開発が進められている。これらの平面型表示装置には、キーボード、マウス、トラックボール（Trackball）、ジョイスティック（Joystick）、デジタイザ（digitizer）などの様々な入力装置（Input Device）がユーザと表示装置との間のインタフェースを構成するために使用されている。
【０００３】
しかし、前述のような入力装置を使用することはその使い方を学ばなければならず、また空間を占有するなどの不便があるため、製品の完成度を高める点において難しい面があった。したがって、便利でありながらシンプルで誤操作の少ない表示装置用の入力装置への要求がますます増加している。このような要求に応じて、ユーザが表示装置を見ながら手やペンなどで画面を直接タッチしたり、または近接させて情報を入力すると、当該入力を認識することができるタッチセンサ（touch sensor）が提案された。
【０００４】
タッチセンサは操作が簡単であり、誤操作が少なく、別の入力機器を使用せずに入力が可能なだけでなく、ユーザが画面に表示される内容を介して迅速かつ容易に操作することができる利便性のために、様々な表示装置に適用されている。
【０００５】
前述した表示装置に使用されるタッチセンサは、その構造に応じて上板付着型（add-on type）と上板内蔵型（on-cell type）及び内蔵型（integrated typeまたはin-cell type）に分けることができる。上板付着型は、表示装置とタッチセンサモジュールを個別に製造した後、表示装置の上板にタッチセンサモジュールを取り付ける方式である。上板内蔵型は表示装置の上部ガラス基板の表面にタッチセンサ素子を直接形成する方式である。内蔵型は表示装置内部にタッチセンサ素子を内蔵して、表示装置の薄型化を達成し、耐久性を向上させることができる方式である。
【０００６】
これらのうち、内蔵型タッチセンサは、表示装置の共通電極をタッチ電極として共用することができ、また厚さを薄くすることもでき、表示装置の内部にタッチ素子が形成されて耐久性を向上させることもできる。
【０００７】
したがって内蔵型タッチセンサは、耐久性を向上させ、薄型化が可能である点で、上板付タッチセンサと、上板内蔵型タッチセンサの欠点を解決することができるので、特に注目されている。このような内蔵型タッチセンサは、タッチされた部分を感知する方式に応じて、光方式と静電容量方式に区分され、静電容量方式は、再度、自己静電容量方式（self capacitance type）と相互静電容量方式（mutual capacitance type）に細分化される。
【０００８】
自己静電容量方式タッチセンサは、タッチ感知パネルのタッチ領域に複数の独立パターンを形成し、それぞれの独立パターンの静電容量の変化を測定して、タッチするかどうかを判断する方式である。相互静電容量方式タッチセンサは、タッチ感知パネルのタッチ電極の形成領域にＸ軸電極ライン（例えば、駆動電極ライン）とＹ軸電極ライン（例えば、センシング電極ライン）を互いに交差させてマトリックス（matrix）を形成し、Ｘ軸電極ラインに駆動パルスを印加した後、Ｙ軸電極ラインを介してＸ軸電極ラインとＹ軸電極ラインの交差点で定義されるセンシングノードに示される電圧の変化を感知して、タッチされたかどうかを判断する方式である。
【０００９】
しかし、相互静電容量方式のタッチセンサにおいては、タッチ認識時に発生するＸ軸電極ラインとＹ軸電極ラインとの間の相互静電容量の大きさは非常に小さいが、表示装置を構成するゲートラインとデータラインによりＸ軸電極ラインとＹ軸電極ラインに形成される寄生容量（parasitic capacitance）は非常に大きいので、寄生容量によってタッチ位置を正確に認識することが困難になる、という問題がある。
【００１０】
また、相互静電容量方式のタッチセンサは、マルチタッチ認識のために、共通電極上にタッチ駆動のための複数のタッチ駆動ラインとタッチセンシングのための複数のタッチセンシングラインを形成しなければならないため、非常に複雑な配線構造を必要とする問題点がある。
【００１１】
自己静電容量方式のタッチセンサは、相互静電容量方式のタッチセンサに比べて簡単な配線構造によりタッチ精度を高めることができるので、必要に応じて広く使用されている。
【００１２】
以下、図１を参照して、従来の自己静電容量方式のタッチセンサ内蔵型液晶表示装置（以下、「タッチセンサ一体型表示装置」と称する。）について説明する。図１は、従来のタッチセンサ一体型表示装置を示す平面図である。
【００１３】
図１を参照すると、タッチセンサ一体型表示装置は、タッチ電極が形成され、データが表示されるアクティブ領域（ＡＡ）と、アクティブ領域（ＡＡ）の外側に配置され、ルーティング配線を含む各種の配線とＩＣ１０が形成されるベゼル領域（ＢＡ）とを含む。
【００１４】
アクティブ領域（ＡＡ）は、互いに交差する第１方向（例えば、ｘ軸方向）及び第２方向（例えば、Ｙ軸方向）に分割された複数のタッチ電極（Ｔｘ１１〜Ｔｘ１４、Ｔｘ２１〜Ｔｘ２４、Ｔｘ３１〜Ｔｘ３４、Ｔｘ４１〜Ｔｘ４４、Ｔｘ５１〜Ｔｘ５４）と、複数のタッチ電極（Ｔｘ１１〜Ｔｘ１４、Ｔｘ２１〜Ｔｘ２４、Ｔｘ３１〜Ｔｘ３４、Ｔｘ４１〜Ｔｘ４４、Ｔｘ５１〜Ｔ５４）のそれぞれに接続され、第２方向に互いに並行するように配列される複数のタッチルーティング配線（ＴＷ１１〜ＴＷ１４、ＴＷ２１〜ＴＷ２４、ＴＷ３１〜ＴＷ３４、ＴＷ４１〜ＴＷ４４、ＴＷ５１〜ＴＷ５４）を含む。
【００１５】
アクティブ領域（ＡＡ）内の複数のタッチ電極（Ｔｘ１１〜Ｔｘ１４、Ｔｘ２１〜Ｔｘ２４、Ｔｘ３１〜Ｔｘ３４、Ｔｘ４１〜Ｔｘ４４、Ｔｘ５１〜Ｔ５４）は、表示装置の共通電極を分割して形成されたもので、データを表示するためのディスプレイモードの駆動時には、共通電極として動作して、タッチ位置を認識するためのタッチ駆動時には、タッチ電極として動作する。
【００１６】
ベゼル領域（ＢＡ）に配置されるＩＣ１０は、ディスプレイ駆動時には、表示装置のゲートライン（図示せず）の駆動に同期してデータライン（図示せず）に表示データを供給し、タッチ及び共通電極（Ｔｘ１１〜Ｔｘ１４、Ｔｘ２１〜Ｔｘ２４、Ｔｘ３１〜Ｔｘ３４、Ｔｘ４１〜Ｔｘ４４、Ｔｘ５１〜Ｔ５４）に共通電圧を供給する。ＩＣ１０はまた、タッチ駆動時には、タッチ及び共通電極にタッチ駆動電圧を供給し、タッチ前後のタッチ及び共通電極の静電容量の変化をスキャンして、タッチが実行されたタッチ及び共通電極の位置を判定する。
【００１７】
各種配線は、タッチ及び共通電極（Ｔｘ１１〜Ｔｘ１４、Ｔｘ２１〜Ｔｘ２４、Ｔｘ３１〜Ｔｘ３４、Ｔｘ４１〜Ｔｘ４４、Ｔｘ５１〜Ｔ５４）に接続され、アクティブ領域（ＡＡ）から延長されて、ＩＣ１０に接続されるタッチルーティング配線（ＴＷ１１〜ＴＷ１４、ＴＷ２１〜ＴＷ２４、ＴＷ３１〜ＴＷ３４、ＴＷ４１〜ＴＷ４４、ＴＷ５１〜ＴＷ５４）、及びデータ配線（図示せず）を含む。
【００１８】
前述した従来のタッチセンサ一体型表示装置は、タッチ及び共通電極（Ｔｘ１１〜Ｔｘ１４、Ｔｘ２１〜Ｔｘ２４、Ｔｘ３１〜Ｔｘ３４、Ｔｘ４１〜Ｔｘ４４、Ｔｘ５１〜Ｔ５４）には、ルーティング配線（ＴＷ１１〜ＴＷ１４、ＴＷ２１〜ＴＷ２４、ＴＷ３１〜ＴＷ３４、ＴＷ４１〜ＴＷ４４、ＴＷ５１〜ＴＷ５４）がそれぞれ接続される。したがって、タッチ及び共通電極ごとにルーティングの配線を接続しなければならないので表示装置が大型化すればするほど、ルーティング配線の数が増加することになる。たとえば、１５．６インチの表示装置において４．３ｍｍのピッチを有するようにタッチ及び共通電極を構成すると、約横方向８０個、縦方向４５個として、総タッチ及び共通電極の数が３６００個になり、これらはすべて３６００個のルーティング配線を介して１方向（図１の例においては、ｙ軸方向）に配列され、個別にタッチＩＣ１０に接続される。この場合、表示装置が大きくなるほど各タッチ及び共通電極に接続されるルーティング配線の数が増えてしまう。ルーティング配線は、開口率の減少を防止するために、データラインと重畳するように配置されるべきである。
【００１９】
したがって、ルーティング配線が１方向にのみ配置される場合、タッチ及び共通電極を大きくする必要があり、タッチ及び共通電極を大きくできない場合には一部のタッチ及び共通電極にルーティング配線が接続されない場合が発生することになり、結果として、タッチ感度を低下させる問題を起こす。
【発明の概要】
【発明が解決しようとする課題】
【００２０】
本発明の目的は、前述した従来の問題点を解消するためのものであって、ルーティング配線を両方向に配列して表示装置の大型化に伴うタッチ感度の低下を防止することができるタッチセンサ一体型表示装置を提供することである。
【課題を解決するための手段】
【００２１】
前記の目的を達成するための本発明の第１特徴に従うタッチセンサ一体型表示装置は、複数のゲートライン及び複数のデータライン、画素電極、複数のタッチ及び共通電極、第１−１ルーティング配線、第１−２ルーティング配線、第２−１ルーティング配線及び第２−２ルーティング配線を含む。画素電極は、複数のデータライン間に配置される。複数のタッチ及び共通電極は、それぞれが少なくとも１つ以上の画素電極と重なるように配置され、行方向と列方向に配列される。第１−１ルーティング配線は、複数のタッチ及び共通電極の内の奇数番目の行の奇数番目の列に配置された第１−１タッチ及び共通電極にそれぞれ接続されて第１方向に並行するように配列される。第１−２ルーティング配線は、複数のタッチ及び共通電極の内の奇数番目の行の偶数番目の列に配置された第１−２タッチ及び共通電極にそれぞれ接続され、前記第１方向と交差する第２方向に並行するように配列される。第２−１ルーティング配線は、複数のタッチ及び共通電極の内の偶数番目の行の奇数番目の列に配置された第２−１タッチ及び共通電極にそれぞれ接続され、前記第２方向に並行するように配列される。第２−２ルーティング配線は、複数のタッチ及び共通電極の内の偶数番目の行の偶数番目の列に配置された第２−２タッチ及び共通電極にそれぞれ接続されて第１方向に並行するように配列される第２−２ルーティング配線を含む。
【００２２】
前記構成において、前記第１−１及び第２−２ルーティング配線が前記第１方向に並行するように配置されれば、前記第１−２及び第２−１ルーティング配線は、前記第２方向に並行するように配置され、前記第１−１及び第２−２ルーティング配線が前記第２方向に並行するように配置されれば、前記第１−２及び第２−１ルーティング配線は、前記第１方向に並行するように配置される。
【００２３】
タッチセンサ一体型表示装置はまた、複数のゲートラインと複数のデータラインに接続される複数の薄膜トランジスタをさらに含み、画素電極は、複数の薄膜トランジスタを被覆する絶縁膜上に配置されて薄膜トランジスタに接続される。第１−２及び第２−１ルーティング配線は、画素電極を被覆する第１保護膜上に互いに並行するように配置され、第１−１及び第２−２ルーティング配線は、前記第１−２及び第２−１ルーティング配線を被覆する第２保護膜上に互いに並行するように配置され、複数のタッチ及び共通電極は、前記第１−１及び第１−２ルーティング配線を被覆する第３保護膜上に配置される。
【００２４】
また、第１−１ルーティング配線は、前記第３保護膜を貫通する第１コンタクトホールを介して前記第１−１タッチ及び共通電極に接続され、前記第２−２ルーティング配線は、前記第３保護膜を貫通する第２コンタクトホールを介して第２−２タッチ及び共通電極に接続される。
【００２５】
また、第１−２ルーティング配線は、前記第２及び第３保護膜を貫通する第３コンタクトホールを介して前記第１−２タッチ及び共通電極に接続され、前記第２−１ルーティング配線は、前記第２及び第３保護膜を貫通する第４コンタクトホールを介して第２−１タッチ及び共通電極にそれぞれ接続される。
【００２６】
また、前記第１−１及び第２−２ルーティング配線が前記第１方向に並行するように配置され、第１−２及び第２−１ルーティング配線が前記第２方向に並行するように配置されれば、前記第１−１及び第２−２ルーティング配線は、前記ゲートラインと重畳され、前記第１−２及び第２−１ルーティング配線は、前記データラインと重なる。また、前記第１−１及び第２−２ルーティング配線が前記第２方向に並行するように配置され、第１−２及び第２−１ルーティング配線が前記第１方向に並行するように配置されれば、前記第１−１及び第２−２ルーティング配線は、前記データラインと重畳され、前記第１−２及び第２−１ルーティング配線は、前記ゲートラインと重なる。
【００２７】
タッチセンサ一体型表示装置はまた、複数のゲートラインと前記複数のデータラインとに接続される複数の薄膜トランジスタをさらに含み、前記第１−１及び第２−２ルーティング配線は、前記ゲートラインと同じ層で前記ゲートラインと並行するように配列される。データラインは、基板上に配置される前記ゲートラインと前記第１−１及び第１−２ルーティング配線を被覆するゲート絶縁膜上に配置される。画素電極は、前記データラインと同一層に配置された前記薄膜トランジスタのドレイン電極に接続される。第１−２及び第２−１ルーティング配線は、前記画素電極を被覆する第１保護膜上に互いに並行するように配列される。複数のタッチ及び共通電極は、前記第１−２及び第２−１ルーティング配線を被覆する第２保護膜上に配置される。
【００２８】
第１−１タッチ及び共通電極は、前記第１−１ルーティング配線を露出させる第１コンタクトホールを介して前記第１−１ルーティング配線に接続され、第２−２タッチ及び共通電極は、前記第２−２ルーティング配線を露出させる第２コンタクトホールを介して第前記２−２ルーティング配線に接続される。
【００２９】
第１−２タッチ及び共通電極は、前記第２保護膜を貫通する第３コンタクトホールを介して前記第１−２ルーティング配線に接続され、第２−１タッチ及び共通電極は、前記第２保護膜を貫通する第４コンタクトホールを介して前記第２−１ルーティング配線に接続される。
【００３０】
前記第１−１及び第２−２ルーティング配線が前記第１方向に並行するように配置され、第１−２及び第２−１ルーティング配線が前記第２方向に並行するように配置されれば、前記第１−１及び第２−２ルーティング配線は、前記ゲートラインと重畳されることなく並行するように配置され、前記第１−２及び第２−１ルーティング配線は、前記データラインと重なる。また、前記第１−１及び第２−２ルーティング配線が前記第２方向に並行するように配置され、第１−２及び第２−１ルーティング配線が前記第１方向に並行するように配置されれば、前記第１−１及び第２−２ルーティング配線は、前記データラインと重畳され、前記第１−２及び第２−１ルーティング配線は、前記ゲートラインと重畳されることなく並行するように配置され、前記第１−２及び第２−１ルーティング配線は前記データラインと重なる。また、前記第１−１及び第２−２ルーティング配線が前記第２方向に並行するように配置され、第１−２及び第２−１ルーティング配線が前記第１方向に並行するように配置されれば、前記第１−１及び第２−２ルーティング配線は、前記データラインと重畳され、前記１−２及び第２−１ルーティング配線は前記ゲートラインと重畳されることなく並行するように配置される。
【００３１】
ディスプレイ駆動期間の間に前記複数のタッチ及び共通電極に共通電圧が供給され、タッチ駆動期間の間に前記複数のタッチ及び共通電極にタッチ駆動電圧が供給され、前記複数のゲートラインと、前記複数のデータラインとには、前記タッチ駆動電圧が供給される。
【００３２】
ディスプレイ駆動期間の間に、前記共通電圧は、第１マルチプレクサを介して前記タッチ及び共通電極に供給され、ゲートハイ電圧が第２マルチプレクサを介して順次的に前記ゲートラインに供給され、データ電圧が第３マルチプレクサを介して前記データラインに供給され、前記ゲートハイ電圧が供給されないゲートラインにはゲートロー電圧が供給される。
【００３３】
タッチ駆動期間の間に、前記タッチ駆動電圧は、前記第１マルチプレクサを介して前記タッチ及び共通電極に供給され、前記第２マルチプレクサを介して前記ゲートラインに供給され、前記第３マルチプレクサを介して前記データラインに供給される。
【００３４】
前記目的を達成するための本発明の他の特徴に従うタッチセンサ一体型表示装置は、互いに交差するように配列される複数のゲートライン及び複数のデータラインと、前記複数のデータライン間に配置される複数の画素電極と、それぞれが少なくとも一つの画素電極と重畳するように配置され、互いに交差する第１方向及び第２方向に配列された複数のタッチ及び共通電極と、前記複数のタッチ及び共通電極の内、第１部分集合（subset）のタッチ及び共通電極のそれぞれに接続されて前記第１方向に配列される第１グループのルーティング配線と、前記複数のタッチ及び共通電極の内、第２部分集合（subset）のタッチ及び共通電極のそれぞれに接続され、前記第２方向に配列される第２グループのルーティング配線とを含む。
【００３５】
前記構成において、前記第１グループのルーティング配線に属するルーティング配線の長さは、互いに同一であり、前記第２グループのルーティング配線に属するルーティング配線の長さは、互いに同一である。
【００３６】
また、前記第１方向は、前記ゲートラインの配列方向と同一であり、前記第２方向は、前記データラインの配列方向と同一である。
【００３７】
また、前記第１方向は、前記データラインの配列方向と同一であり、前記第２方向は前記ゲートラインの配列方向と同一である。
【００３８】
また、前記第１部分集合及び第２部分集合のタッチ及び共通電極は、互いに交互に配置され前記第１方向にタッチ及び共通電極の行（row）を形成する。
【００３９】
また、前記第１部分集合及び第２部分集合のタッチ及び共通電極は、互いに交互に配置され前記第２方向にタッチ及び共通電極の列（column）を形成する。
【００４０】
また、前記タッチセンサ一体型表示装置は、前記第１グループのルーティング配線に接続される第１ドライブＩＣと、前記第２グループのルーティング配線に接続される第２ドライブＩＣとをさらに含む。
【００４１】
また、前記第１ドライブＩＣは、１フレーム期間のディスプレイ駆動期間の間に前記第１部分集合のタッチ及び共通電極に共通電圧を供給し、前記１フレーム期間のタッチ駆動期間の間に前記第１部分集合のタッチ及び共通電極にタッチ駆動電圧を供給し、前記第２ドライブＩＣは、１フレーム期間のディスプレイ駆動期間の間に前記第２部分集合のタッチ及び共通電極に前記共通電圧を供給し、前記１フレーム期間のタッチ駆動期間の間に前記第２部分集合のタッチ及び共通電極に前記タッチ駆動電圧を供給し、前記タッチ駆動期間の間に前記ゲートラインに前記タッチ駆動電圧と同一位相及び同一振幅の第１電圧が供給され、前記データラインには、前記タッチ駆動電圧と同一位相及び同一振幅の第２電圧が供給される。
【００４２】
前記目的を達成するための本発明のもう一つの特徴に従うタッチセンサ一体型表示装置は、互いに交差するように配列される複数のゲートライン及び複数のデータラインと、前記複数のデータラインの間に配置される複数の画素電極と、それぞれが少なくとも一つの画素電極と重畳するように配置され、互いに交差する第１方向と第２方向に配列された複数のタッチ及び共通電極と、前記複数のタッチ及び共通電極の内、第１部分集合（subset）のタッチ及び共通電極のそれぞれに接続され前記第１方向に配列される第１グループのルーティング配線と、前記複数のタッチ及び共通電極のうち、第２部分集合（subset）のタッチ及び共通電極のそれぞれに接続され、前記第２方向に配列される第２グループのルーティング配線と、前記複数のタッチ及び共通電極の内、第３部分集合（subset）のタッチ及び共通電極に接続され、前記第１方向と反対方向の第３方向に配列される第３グループのルーティング配線と、前記複数のタッチ及び共通電極の内、第４部分集合（subset）のタッチ及び共通電極に接続され、前記第２方向に配列される第４グループのルーティング配線とを含む。
【００４３】
前記構成において、前記複数のタッチ及び共通電極の内、第５部分集合（subset）のタッチ及び共通電極に接続され、前記第１方向に配列される第５グループのルーティング配線と、前記複数のタッチ及び共通電極の内、第６部分集合（subset）のタッチ及び共通電極に接続され、前記第２方向と反対方向である第４方向に配列される第６グループのルーティング配線と、前記複数のタッチ及び共通電極の内、第７部分集合（subset）のタッチ及び共通電極に接続され、前記第３方向に配列される第７グループのルーティング配線と、前記複数のタッチ及び共通電極の内、第８部分集合（subset）のタッチ及び共通電極に接続され、前記第４方向に配列される第８グループのルーティング配線をさらに含む。
【００４４】
また、前記第１グループのルーティング配線に属するルーティング配線の長さは、互いに同一であり、前記第２グループのルーティング配線に属するルーティング配線の長さは、互いに同一であり、前記第３グループのルーティング配線に属するルーティング配線の長さは、互いに同一であり、前記第４グループのルーティング配線に属するルーティング配線の長さは、互いに同一であり、前記第５グループのルーティング配線に属するルーティング配線の長さは、互いに同一であり、前記第６グループのルーティング配線に属するルーティング配線の長さは、互いに同一であり、前記第７グループのルーティング配線に属するルーティング配線の長さは、互いに同一であり、前記第８グループのルーティング配線に属するルーティング配線の長さは、互いに同一である。
【００４５】
また、前記第１方向及び第３方向は、前記ゲートラインの配列方向と同一であり、前記第２方向及び第４方向は、前記データラインの配列方向と同一である。
【００４６】
また、前記第１方向及び第３方向は、前記データラインの配列方向と同一であり、前記第２方向及び第４方向は、前記ゲートラインの配列方向と同一である。
【００４７】
また、タッチセンサ一体型表示装置は、前記第１グループのルーティング配線に接続される第１ドライブＩＣと、前記第２グループのルーティング配線に接続される第２ドライブＩＣと、前記第３グループのルーティング配線に接続される第３ドライブＩＣと、前記第４グループのルーティング配線に接続される第４ドライブＩＣとをさらに含む。
【００４８】
また、前記第１ドライブＩＣは、１フレーム期間のディスプレイ駆動期間の間に前記第１部分集合のタッチ及び共通電極に共通電圧を供給し、前記１フレーム期間のタッチ駆動期間の間に前記第１部分集合のタッチ及び共通電極にタッチ駆動電圧を供給し、前記第２ドライブＩＣは、１フレーム期間のディスプレイ駆動期間の間に前記第２部分集合のタッチ及び共通電極に前記共通電圧を供給し、前記１フレーム期間のタッチ駆動期間の間に前記第２部分集合のタッチ及び共通電極に前記タッチ駆動電圧を供給し、前記第３ドライブＩＣは、１フレーム期間のディスプレイ駆動期間の間に前記第３部分集合のタッチ及び共通電極に共通電圧を供給し、前記１フレーム期間のタッチ駆動期間の間に前記第３部分集合のタッチ及び共通電極にタッチ駆動電圧を供給し、前記第４ドライブＩＣは、１フレーム期間のディスプレイ駆動期間の間に、前記第４部分集合のタッチ及び共通電極に前記共通電圧を供給し、前記１フレーム期間のタッチ駆動期間の間に、前記第４部分集合のタッチ及び共通電極に前記タッチ駆動電圧を供給し、前記タッチ駆動期間の間に前記ゲートラインに前記タッチ駆動電圧と同一位相及び同一振幅の第１電圧が供給され、前記データラインには、前記タッチ駆動電圧と同一位相及び同一振幅の第２電圧が供給される。
【００４９】
また、タッチセンサ一体型表示装置は、前記第１グループのルーティング配線に接続される第１ドライブＩＣと、前記第２グループのルーティング配線に接続される第２ドライブＩＣと、前記第３グループのルーティング配線に接続される第３ドライブＩＣと、前記第４グループのルーティング配線に接続される第４ドライブＩＣと、前記第５グループのルーティング配線に接続される第５ドライブＩＣと、前記第６グループのルーティング配線に接続される第６ドライブＩＣと、前記第７グループのルーティング配線に接続される第７ドライブＩＣと、前記第８グループのルーティング配線に接続される第８ドライブＩＣをさらに含む。
【００５０】
また、前記第１ドライブＩＣは、１フレーム期間のディスプレイ駆動期間の間に前記第１部分集合のタッチ及び共通電極に共通電圧を供給し、前記１フレーム期間のタッチ駆動期間の間に前記第１部分集合のタッチ及び共通電極にタッチ駆動電圧を供給し、前記第２ドライブＩＣは、１フレーム期間のディスプレイ駆動期間の間に前記第２部分集合のタッチ及び共通電極に前記共通電圧を供給し、前記１フレーム期間のタッチ駆動期間の間に前記第２部分集合のタッチ及び共通電極に前記タッチ駆動電圧を供給し、前記第３ドライブＩＣは、１フレーム期間のディスプレイ駆動期間の間に前記第３部分集合のタッチ及び共通電極に共通電圧を供給し、前記１フレーム期間のタッチ駆動期間の間に前記第３部分集合のタッチ及び共通電極にタッチ駆動電圧を供給し、前記第４ドライブＩＣは、１フレーム期間のディスプレイ駆動期間の間に、前記第４部分集合のタッチ及び共通電極に前記共通電圧を供給し、前記１フレーム期間のタッチ駆動期間の間に、前記第４部分集合のタッチ及び共通電極に前記タッチ駆動電圧を供給し、前記第５ドライブＩＣは、１フレーム期間のディスプレイ駆動期間の間に、前記第５部分集合のタッチ及び共通電極に共通電圧を供給し、前記１フレーム期間のタッチ駆動期間の間に、前記第５部分集合のタッチ及び共通電極にタッチ駆動電圧を供給し、前記第６ドライブＩＣは、１フレーム期間のディスプレイ駆動期間の間に、前記第６部分集合のタッチ及び共通電極に前記共通電圧を供給し、前記１フレーム期間のタッチ駆動期間の間に、前記第６部分集合のタッチ及び共通電極に前記タッチ駆動電圧を供給し、
前記第７ドライブＩＣは、１フレーム期間のディスプレイ駆動期間の間に、
前記第７部分集合のタッチ及び共通電極に共通電圧を供給し、前記１フレーム期間のタッチ駆動期間の間に、前記第７部分集合のタッチ及び共通電極にタッチ駆動電圧を供給し、
前記第８ドライブＩＣは、１フレーム期間のディスプレイ駆動期間の間に、前記第８部分集合のタッチ及び共通電極に前記共通電圧を供給し、前記１フレーム期間のタッチ駆動期間の間に、前記第８部分集合のタッチ及び共通電極に前記タッチ駆動電圧を供給し、タッチ駆動期間の間に前記ゲートラインに前記タッチ駆動電圧と同一位相及び同一振幅の第１電圧が供給され、前記データラインには、前記タッチ駆動電圧と同一位相及び同一振幅の第２電圧が供給される。
【発明の効果】
【００５１】
本発明に係るタッチセンサ一体型表示装置によれば、ルーティング配線が互いに交差する両方向に配列されるので、表示装置の大型化に伴うタッチ及び共通電極の寸法の増大またはルーティング配線に接続されないタッチ及び共通電極の発生によるタッチ感度の低下を防止する効果を得ることができる。
【００５２】
また、タッチ駆動期間の間、タッチ駆動のため、タッチ電極に供給されるタッチ駆動電圧と同一位相（phase）、同一振幅（amplitude）の電圧をゲートラインとデータラインにも供給することにより、ルーティング配線とゲートラインとの間及びタッチルーティング配線とデータラインとの間に寄生静電容量が発生することを防止することができる。したがって、寄生静電容量によって発生するタッチ感度の低下を防止することができる効果がある。
【図面の簡単な説明】
【００５３】
【図１】従来のタッチセンサ一体型表示装置を示す平面図である。
【図２】本発明の実施の形態に係るタッチセンサ一体型表示装置の一部を概略的に示す分解斜視図である。
【図３】本発明の第１の実施の形態に係るタッチセンサ一体型表示装置のタッチ及び共通電極とルーティング配線の接続関係を示す平面図である。
【図４】図３に示された領域Ｒ１をさらに詳細に示す平面図である。
【図５】図４に示された領域Ｒ２においてタッチ及び共通電極と画素電極との関係を示す平面図である。
【図６】図５に示された１つの画素領域の一例を示す平面図であり、第１方向に配列されたルーティング配線がゲートラインと重畳し、第２方向に配列された他のルーティング配線がデータラインと重畳されるように配列された例を示す平面図である。
【図７Ａ】図６において、第１方向に配列されるルーティング配線とそれに接続されるタッチ及び共通電極の接続関係を示す断面図である。
【図７Ｂ】図６において、第２方向に配列される他のルーティング配線とそれに接続される他のタッチ及び共通電極の接続関係を示す断面図である。
【図８】図５に示された１つの画素電極の他の例を示す平面図であり、第１方向に配列されたルーティング配線がゲートラインと重畳されることなく並行するように配列された例を示す平面図である。
【図９Ａ】図８において第１方向に配列されるルーティング配線とそれに接続されるタッチ及び共通電極の接続関係を示す断面図である。
【図９Ｂ】図８において第２方向に配列される他のルーティング配線とそれに接続される他のタッチ及び共通電極の接続関係を示す断面図である。
【図１０】本発明の第２の実施の形態に係るタッチセンサ一体型表示装置のタッチ及び共通電極とルーティング配線の接続関係を示す平面図である。
【図１１】本発明の第３の実施の形態に係るタッチセンサ一体型表示装置のタッチ及び共通電極及びルーティング配線の接続関係を示す平面図である。
【図１２】本発明の第４の実施の形態に係るタッチセンサ一体型表示装置のタッチ及び共通電極及びルーティング配線の接続関係を示す平面図である。
【図１３】本発明の第５の実施の形態に係るタッチセンサ一体型表示装置のタッチ及び共通電極及びルーティング配線の接続関係を示す平面図である。
【図１４】本発明の第６の実施の形態に係るタッチセンサ一体型表示装置のタッチ及び共通電極及びルーティング配線の接続関係を示す平面図である。
【図１５】本発明の第１乃至第６の実施の形態に係るタッチセンサ一体型表示装置において、ディスプレイ駆動期間とタッチ駆動期間の動作を説明するための図である。
【発明を実施するための形態】
【００５４】
以下、添付図面を参照して、本発明のタッチセンサ一体型表示装置の好ましい実施の形態を詳細に説明する。明細書全体にわたって同じ参照番号は、同じ構成要素を意味する。以下の説明では、タッチセンサ一体型表示装置の一例として自己静電容量方式タッチセンサの内蔵型液晶表示装置（以下、「タッチセンサ一体型表示装置」と称する。）を挙げて具体的に説明する。
【００５５】
まず、図２及び図３を参照して、本発明の第１の実施の形態に係るタッチセンサ一体型表示装置について説明する。図２は、本発明の実施の形態に係るタッチセンサ一体型表示装置を概略的に示す一部分解斜視図であり、図３は、本発明の第１の実施の形態に係るタッチセンサ一体型表示装置の平面図である。
【００５６】
図２を参照すると、本発明の実施形態に係るタッチセンサ一体型表示装置は、液晶層（図示せず）を間に置いて形成される薄膜トランジスタアレイ（ＴＦＴＡ）とカラーフィルタアレイ（ＣＦＡ）を備える液晶表示パネル（ＬＣＰ）を含む。
【００５７】
薄膜トランジスタアレイ（ＴＦＴＡ）は、第１基板（ＳＵＢ１）上に第１方向（例えば、ｘ方向）に並行するように形成された複数のゲートライン（Ｇ１、Ｇ２）、前記複数のゲートライン（Ｇ１、Ｇ２）と互いに交差するように第２方向（例えば、ｙ方向）に並行するように配列されたデータライン（Ｄ１、Ｄ２）、前記ゲートライン（Ｇ１、Ｇ２）とデータライン（Ｄ１、Ｄ２）が交差する領域に配置される薄膜トランジスタ（ＴＦＴ）、液晶セルへのデータ電圧を充電させるための複数の画素電極（Ｐｘ）、及び前記複数の画素電極（Ｐｘ）と対向するように配置された共通電極（図示せず）を含む。
【００５８】
カラーフィルタアレイ（ＣＦＡ）は、第２基板（ＳＵＢ２）上に配置されるブラックマトリックスとカラーフィルタ（図示せず）を含む。液晶表示パネル（ＬＣＰ）の第１基板（ＳＵＢ１）と第２基板（ＳＵＢ２）の外面には、それぞれ偏光板（ＰＯＬ１、ＰＯＬ２）が付着され、液晶と接する第１及び第２の基板（ＳＵＢ１、ＳＵＢ２）の内面には、液晶のプレチルト角を設定するための配向膜（図示せず）がそれぞれ配置される。液晶表示パネル（ＬＣＰ）のカラーフィルタアレイ（ＣＦＡ）と薄膜トランジスタアレイ（ＴＦＴＡ）との間には、液晶セルのセルギャップ（cell gap）を維持するためのカラムスペーサ（column spacer）が配置されることができる。
【００５９】
一方、タッチ及び共通電極は、ＴＮ（Twisted Nematic）モードやＶＡ（Vertical Alignment）モードのような垂直電界駆動方式において第２基板（ＳＵＢ２）に配置され、ＩＰＳ（In Plane Switching）モードやＦＦＳ（Fringe   Field  Switching）モードのような水平電界駆動方式では、画素電極（Ｐｘ）と共に第１基板（ＳＵＢ１）上に配置される。以下の本発明の実施の形態では、水平電界駆動方式を例に挙げて説明する。
【００６０】
図３を参照すると、本発明の第１の実施の形態に係るタッチセンサ一体型表示装置は、アクティブ領域（ＡＡ）とアクティブ領域（ＡＡ）の外側に配置されるベゼル領域（ＢＡ）を含む。アクティブ領域（ＡＡ）は、タッチ及び共通電極（Ｔｘ１１〜Ｔｘ１９、Ｔｘ２１〜Ｔｘ２９、Ｔｘ３１〜Ｔｘ３９、Ｔｘ４１〜Ｔｘ４９、Ｔｘ５１〜Ｔｘ５９、Ｔｘ６１〜Ｔｘ６９、Ｔｘ７１〜Ｔｘ７９、Ｔｘ８１〜Ｔｘ８９）が配置され、データが表示される領域である。ベゼル領域（ＢＡ）は、ソースドライバ及びゲートドライバを駆動し、タッチ及び共通電極を駆動してセンシングするためのディスプレイ及びタッチコントローラ（ＩＣ）と、アクティブ領域から延長されるルーティング配線を含む各種配線が配置される領域である。
【００６１】
タッチセンサ内装型表示装置のアクティブ領域（ＡＡ）は、互いに交差する第１方向（例えば、ｘ軸方向）及び第２方向（例えば、Ｙ軸方向）に分割された複数のタッチ及び共通電極（Ｔｘ１１〜Ｔｘ１９、Ｔｘ２１〜Ｔｘ２９、Ｔｘ３１〜Ｔｘ３９、Ｔｘ４１〜Ｔｘ４９、Ｔｘ５１〜Ｔｘ５９、Ｔｘ６１〜Ｔｘ６９、Ｔｘ７１〜Ｔｘ７９、Ｔｘ８１〜Ｔｘ８９）を含む。
【００６２】
これらのタッチ及び共通電極のうち、奇数番目の行の奇数番目の列に対応する第１−１タッチ及び共通電極（Ｔｘ１１、Ｔｘ１３、Ｔｘ１５、Ｔｘ１７、Ｔｘ１９；Ｔｘ３１、Ｔｘ３３、Ｔｘ３５、Ｔｘ３７、Ｔｘ３９；Ｔｘ５１、Ｔｘ５３、Ｔｘ５５、Ｔｘ５７、Ｔｘ５９；Ｔｘ７１、Ｔｘ７３、Ｔｘ７５、Ｔｘ７７、Ｔｘ７９）は、第１方向に配列される第１−１タッチルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）にそれぞれ接続される。すなわち、第１−１タッチ及び共通電極（Ｔｘ１１、Ｔｘ１３、Ｔｘ１５、Ｔｘ１７、Ｔｘ１９；Ｔｘ３１、Ｔｘ３３、Ｔｘ３５、Ｔｘ３７、Ｔｘ３９；Ｔｘ５１、Ｔｘ５３、Ｔｘ５５、Ｔｘ５７、Ｔｘ５９；Ｔｘ７１、Ｔｘ７３、Ｔｘ７５、Ｔｘ７７、Ｔｘ７９）は、第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）に１：１の関係で接続される。
【００６３】
また、前記タッチ及び共通電極の内、奇数番目の行の偶数番目の列に対応する第１−２タッチ及び共通電極（Ｔｘ１２、Ｔｘ１４、Ｔｘ１６、Ｔｘ１８；Ｔｘ３２、Ｔｘ３４、Ｔｘ３６、Ｔｘ３８；Ｔｘ５２、Ｔｘ５４、Ｔｘ５６、Ｔｘ５８；Ｔｘ７２、Ｔｘ７４、Ｔｘ７６、Ｔｘ７８）は、第１方向と交差する第２方向に配列される第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）にそれぞれ接続される。すなわち、第１−２タッチ及び共通電極（ＴＸ１２、ＴＸ１４、ＴＸ１６、ＴＸ１８；ＴＸ３２、ＴＸ３４、ＴＸ３６、ＴＸ３８；ＴＸ５２、ＴＸ５４、ＴＸ５６、ＴＸ５８；ＴＸ７２、ＴＸ７４、ＴＸ７６、ＴＸ７８）は、第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）に１：１の関係で接続される。
【００６４】
第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）は、第１方向に互いに平行に配列され、第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）は、第２方向に互いに平行に配列される。
【００６５】
また、タッチ及び共通電極の内、偶数番目の行の奇数番目の列に対応する第２−１タッチ及び共通電極（Ｔｘ２１、Ｔｘ２３、Ｔｘ２５、Ｔｘ２７、Ｔｘ２９；Ｔｘ４１、Ｔｘ４３、Ｔｘ４５、Ｔｘ４７、Ｔｘ４９；Ｔｘ６１、Ｔｘ６３、Ｔｘ６５、Ｔｘ６７、Ｔｘ６９；Ｔｘ８１、Ｔｘ８３、Ｔｘ８５、Ｔｘ８７、Ｔｘ８９）は、第２方向に配列される第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）にそれぞれ接続される。つまり、第２−１タッチ及び共通電極（Ｔｘ２１、Ｔｘ２３、Ｔｘ２５、Ｔｘ２７、Ｔｘ２９；Ｔｘ４１、Ｔｘ４３、Ｔｘ４５、Ｔｘ４７、Ｔｘ４９；Ｔｘ６１、Ｔｘ６３、Ｔｘ６５、Ｔｘ６７、Ｔｘ６９；Ｔｘ８１、Ｔｘ８３、Ｔｘ８５、Ｔｘ８７、Ｔｘ８９）は、第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）に接続される。
【００６６】
また、タッチ及び共通電極の内、偶数番目の行の偶数番目の列に対応する第２−２タッチ及び共通電極（Ｔｘ２２、Ｔｘ２４、Ｔｘ２６、Ｔｘ２８；Ｔｘ４２、Ｔｘ４４、Ｔｘ４６、Ｔｘ４８；Ｔｘ６２、Ｔｘ６４、Ｔｘ６６、Ｔｘ６８；Ｔｘ８２、Ｔｘ８４、Ｔｘ８６、Ｔｘ８８）は、第１方向に配列される第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）にそれぞれ接続される。
【００６７】
第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）は、第２方向に互いに平行に配列され、第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）は、第１方向に互いに平行に配列される。
【００６８】
次に、図４及び図５を参照して、本発明の第１の実施の形態に従うタッチセンサ一体型表示装置においてタッチ及び共通電極と画素電極の関係の一例について説明する。図４は、図３に示された領域Ｒ１をさらに詳細に示した平面図であり、図５は、図４に示された領域Ｒ２のタッチ及び共通電極と画素電極との関係を示した平面図である。
【００６９】
図４及び図５を参照すると、本発明の第１の実施の形態に従うタッチセンサ一体型表示装置は、タッチ及び共通電極（Ｔｘ１１；Ｔｘ１２；Ｔｘ２１；Ｔｘ２２）それぞれに対応して、９つの画素電極（Ｐ１１〜Ｐ３３；Ｐ１４−Ｐ３６；Ｐ４１〜Ｐ６３；Ｐ４４〜Ｐ６６）が３行３列に配置された構成を有する。画素電極（Ｐ１１〜Ｐ３３；Ｐ１４−Ｐ３６；Ｐ４１〜Ｐ６３；Ｐ４４〜Ｐ６６）は、第１方向（例えば、ｘ軸方向）に配列される複数のゲートライン（ＧＬ１〜ＧＬ６）と、第１方向と交差する第２方向（例えば、ｙ軸方向）に配列される複数のデータライン（ＤＬ１〜ＤＬ６）とによって定義される領域に配置される。図５の実施の形態においては、それぞれのタッチ及び共通電極に対応して、９つの画素電極が配置される場合の例を示しているが、一つのタッチ及び共通電極に対応して配置される画素電極の数は、必要に応じて調整することができるもので、本発明の範囲を制限するものではない。また、画素電極は、ゲートラインとデータラインの交差によって定義される領域に配置されるものと示されているが、本発明がこれに限定されるものではなく、ゲートラインが画素電極と重なるように配置することもできる。
【００７０】
次に、図６〜図７Ｂを参照して、本発明の実施の形態に従うタッチセンサ一体型表示装置のルーティング配線とタッチ及び共通電極の接続構造についてさらに詳細に説明する。図６は、図５に示された一つの画素電極に対応する領域の一例を示す平面図であり、第１方向（例えば、ｘ軸方向）に配列されたルーティング配線がゲートラインと重畳され第２方向（例えば、ｙ軸方向）に配列されたルーティング配線がデータラインと重なるよう配置された例を示した平面図であり、図７Ａは、図５で第１方向に配列されるルーティング配線とそれに接続されるタッチ及び共通電極の接続関係を示した断面図であり、図７Ｂは、図６で第２方向に配列されるルーティング配線とそれに接続されるタッチ及び共通電極の接続関係を示した断面図である。以下の説明では、説明の便宜のために一つの画素領域を中心に説明する。
【００７１】
図５〜図７Ｂを参照すると、本発明の第１の実施の形態に従うタッチセンサ一体型表示装置は、薄膜トランジスタアレイ（ＴＦＴＡ）の基板（ＳＵＢ１）上に互いに交差するように配列されるゲートライン（ＧＬ１〜ＧＬ６）及びデータライン（ＤＬ１〜ＤＬ６）と、前記ゲートライン（ＧＬ１〜ＧＬ６）とデータライン（ＤＬ１〜ＤＬ６）の交差領域に配置される薄膜トランジスタ（ＴＦＴ）と、ゲートライン（ＧＬ１〜ＧＬ６）とデータライン（ＤＬ１〜ＤＬ６）交差によって定義される領域に配置される画素電極（Ｐ１１〜Ｐ６６）と、前記画素電極（Ｐ１１〜Ｐ６６）と対向するタッチ及び共通電極（Ｔｘ１１、Ｔｘ１２、Ｔｘ２１、Ｔｘ２２）を含む。このタッチ及び共通電極（Ｔｘ１１、Ｔｘ１２、Ｔｘ２１、Ｔｘ２２）は、ディスプレイ駆動時には、共通電極として機能し、タッチ駆動時には、タッチ電極として機能する。
【００７２】
前記構成において、基板（ＳＵＢ１）上には複数のゲートライン（ＧＬ１〜ＧＬ６）が互いに並行するように配置され、その上部には、複数のゲートライン（ＧＬ１〜ＧＬ６）を被覆するようにゲート絶縁膜（ＧＩ）が配置される。ゲート絶縁膜（ＧＩ）上では、薄膜トランジスタ（ＴＦＴ）を構成する活性層（Ａ）、ソース電極（ＳＥ）及びドレイン電極（ＤＥ）が配置される。
【００７３】
つまり、薄膜トランジスタ（ＴＦＴ）は、基板（ＳＵＢ１）上に配置されるゲートライン（ＧＬ１〜ＧＬ６）からそれぞれ延長されるゲート電極（ＧＥ）と、ゲートライン（ＧＬ１〜ＧＬ６）及びゲート電極（ＧＥ）を被覆するゲート絶縁膜（ＧＩ）上でゲート電極（ＧＥ）と対応する領域に配置される活性層（Ａ）と、活性層（Ａ）の一部を露出させるようにゲート絶縁膜（ＧＩ）上で分離されて配置されるソース電極（ＳＥ）及びドレイン電極（ＤＥ）を含む。ソース電極（ＳＥ）は、データライン（ＤＬ１〜ＤＬ６）のそれぞれから延長することができる。
【００７４】
前記実施の形態において、たとえ薄膜トランジスタは、ゲート電極がソース／ドレイン電極の下層に形成されるボトムゲート構造（gate bottom structure）の薄膜トランジスタを例に挙げて説明したが、本発明がこれに限定されるものではなく、ゲート電極がソース／ドレイン領域の上部に配置されるトップゲート構造（gate top structure）の薄膜トランジスタも含むものと理解しなければならない。トップゲート構造の薄膜トランジスタの構成は、既に知られているので、それに対する詳細な説明は省略する。
【００７５】
薄膜トランジスタ（ＴＦＴ）とデータライン（ＤＬ１〜ＤＬ６）が配置されたゲート絶縁膜（ＧＩ）上にはこれらを被覆する第１絶縁膜（ＩＮＳ１）と、平坦化のための第２絶縁膜（ＩＮＳ２）が配置され、第１及び第２絶縁膜を貫通するコンタクトホールを介して薄膜トランジスタ（ＴＦＴ）のドレイン電極（ＤＥ）とそれぞれ接続されるように、画素電極（Ｐ１１〜Ｐ６６）が配置される。
【００７６】
そして、第２絶縁膜（ＩＮＳ２）上には、画素電極（Ｐ１１〜Ｐ６６）を被覆する第１保護膜（ＰＡＳ１）が配置される。第１保護膜（ＰＡＳ１）上には奇数番目の行の奇数番目の列に対応する第１−１タッチ及び共通電極（Ｔｘ１１、Ｔｘ１３、Ｔｘ１５、Ｔｘ１７、Ｔｘ１９；Ｔｘ３１、Ｔｘ３３、Ｔｘ３５、Ｔｘ３７、Ｔｘ３９；Ｔｘ５１、Ｔｘ５３、Ｔｘ５５、Ｔｘ５７、Ｔｘ５９；Ｔｘ７１、Ｔｘ７３、Ｔｘ７５、Ｔｘ７７、Ｔｘ７９）にそれぞれ接続される第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）と、偶数番目の行の偶数番目の列に対応する第２−２タッチ及び共通電極（Ｔｘ２２、Ｔｘ２４、Ｔｘ２６、Ｔｘ２８；Ｔｘ４２、Ｔｘ４４、Ｔｘ４６、Ｔｘ４８；Ｔｘ６２、Ｔｘ６４、Ｔｘ６６、Ｔｘ６８；Ｔｘ８２、Ｔｘ８４、Ｔｘ８６、Ｔｘ８８）にそれぞれ接続される第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）が第１方向（例えば、ｘ軸方向）に並行するように配列される。
【００７７】
第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）と第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）が配置された第１保護膜（ＰＡＳ１）上には第１−１及び第２−２ルーティング配線を被覆するように第２保護膜（ＰＡＳ２）が配置される。
【００７８】
第２保護膜（ＰＡＳ２）上には奇数番目の行の偶数番目の列に対応する第１−２タッチ及び共通電極（Ｔｘ１２、Ｔｘ１４、Ｔｘ１６、Ｔｘ１８；Ｔｘ３２、Ｔｘ３４、Ｔｘ３６、Ｔｘ３８；Ｔｘ５２、Ｔｘ５４、Ｔｘ５６、Ｔｘ５８；Ｔｘ７２、Ｔｘ７４、Ｔｘ７６、Ｔｘ７８）にそれぞれ接続される第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）と、偶数番目の行の奇数番目の列に対応する第２−１タッチ及び共通電極（Ｔｘ２１、Ｔｘ２３、Ｔｘ２５、Ｔｘ２７、Ｔｘ２９；Ｔｘ４１、Ｔｘ４３、Ｔｘ４５、Ｔｘ４７、Ｔｘ４９；Ｔｘ６１、Ｔｘ６３、Ｔｘ６５、Ｔｘ６７、Ｔｘ６９；Ｔｘ８１、Ｔｘ８３、Ｔｘ８５、Ｔｘ８７、Ｔｘ８９）にそれぞれ接続される第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）が第１方向と交差する第２方向（例えば、ｙ軸方向）に並行するように配置される。
【００７９】
第１−２及び第２−１ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８；ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）が配置された第２保護膜（ＰＡＳ２）上には第１−２及び第２−１ルーティング配線を被覆するように第３保護膜（ＰＡＳ３）が配置される。
【００８０】
第３保護膜（ＰＡＳ３）上には、図３に示すように、複数のタッチ及び共通電極（Ｔｘ１１〜Ｔｘ１９、Ｔｘ２１〜Ｔｘ２９、Ｔｘ３１〜Ｔｘ３９、Ｔｘ４１〜Ｔｘ４９、Ｔｘ５１〜Ｔｘ５９、Ｔｘ６１〜Ｔｘ６９、Ｔｘ７１〜Ｔｘ７９、Ｔｘ８１〜Ｔｘ８９）が配置される。
【００８１】
複数のタッチ及び共通電極の内の奇数番目の行の奇数番目の列に対応する第１−１タッチ及び共通電極（Ｔｘ１１、Ｔｘ１３、Ｔｘ１５、Ｔｘ１７、Ｔｘ１９；Ｔｘ３１、Ｔｘ３３、Ｔｘ３５、Ｔｘ３７、Ｔｘ３９；Ｔｘ５１、Ｔｘ５３、Ｔｘ５５、Ｔｘ５７、Ｔｘ５９；Ｔｘ７１、Ｔｘ７３、Ｔｘ７５、Ｔｘ７７、Ｔｘ７９）は、第３保護膜（ＰＡＳ３）を貫通する第１コンタクトホール（ＣＨ１１）を介して第２保護膜（ＰＡＳ２）上に配置された第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）にそれぞれ接続される（図３、図５、及び図７Ａを参照）。偶数番目の行の偶数番目の列に対応する第２−２タッチ及び共通電極（Ｔｘ２２、Ｔｘ２４、Ｔｘ２６、Ｔｘ２８；Ｔｘ４２、Ｔｘ４４、Ｔｘ４６、Ｔｘ４８；Ｔｘ６２、Ｔｘ６４、Ｔｘ６６、Ｔｘ６８；Ｔｘ８２、Ｔｘ８４、Ｔｘ８６、Ｔｘ８８）は第３保護膜（ＰＡＳ３）を貫通する第２コンタクトホール（ＣＨ２２）を介して第２保護膜（ＰＡＳ２）上に配置された第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）にそれぞれ接続される（図３、図５及び図７Ａを参照）。
【００８２】
また、複数のタッチ及び共通電極の内の奇数番目の行の偶数番目の列に対応する第１−２タッチ及び共通電極（Ｔｘ１２、Ｔｘ１４、Ｔｘ１６、Ｔｘ１８；Ｔｘ３２、Ｔｘ３４、Ｔｘ３６、Ｔｘ３８；Ｔｘ５２、Ｔｘ５４、Ｔｘ５６、Ｔｘ５８；Ｔｘ７２、Ｔｘ７４、Ｔｘ７６、Ｔｘ７８）は、第２及び第３保護膜（ＰＡＳ２、ＰＡＳ３）を貫通する第３コンタクトホール（ＣＨ１２）を介して、第１保護膜（ＰＡＳ１）上に配置された第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）にそれぞれ接続される（図３、図５及び図７Ｂを参照）。偶数番目の行の奇数番目の列に対応する第２−１タッチ及び共通電極（Ｔｘ２１、Ｔｘ２３、Ｔｘ２５、Ｔｘ２７、Ｔｘ２９；Ｔｘ４１、Ｔｘ４３、Ｔｘ４５、Ｔｘ４７、Ｔｘ４９；Ｔｘ６１、Ｔｘ６３、Ｔｘ６５、Ｔｘ６７、Ｔｘ６９；Ｔｘ８１、Ｔｘ８３、Ｔｘ８５、Ｔｘ８７、Ｔｘ８９）は、第２及び第３保護膜（ＰＡＳ３）を貫通する第４コンタクトホール（ＣＨ２１）を介して、第１保護膜（ＰＡＳ１）上に配置された第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）にそれぞれ接続される（図３、図５及び図７Ｂを参照）。
【００８３】
次に、図８〜図９Ｂを参照して、本発明の第１の実施の形態に従うタッチセンサ一体型表示装置のルーティング配線とタッチ及び共通電極の接続構造の他の例について、さらに詳細に説明する。図８は、図５に示された一つの画素電極に対応する領域の他の例を示す平面図であり、第１方向に配列されたルーティング配線がゲートラインと重畳されることなく並行するように配列された例を示す平面図であり、図９Ａは、図８で第１方向に配列されるルーティング配線とそれに接続されるタッチ及び共通電極の接続関係を示した断面図であり、図９Ｂは、図８において第２方向に配列されるルーティング配線とそれに接続されるタッチ及び共通電極の接続関係を示した断面図である。以下の説明では、説明の便宜のために一つの画素領域を中心に説明する。
【００８４】
図８〜図９Ｂに示された例は、第１−１、第１−２、第２−１及び第２−２ルーティング配線と第１−１、第１−２、第２−１及び第２−２タッチ及び共通電極とが配置される位置と、第１−１、第１−２、第２−１及び第２−２ルーティング配線が第１−１、第１−２、第２−１及び第２−２タッチ及び共通電極と接続される構成と、第３保護膜が除去されることを除いては、図６〜図７Ｂに示された例と実質的に同一である。したがって、図８〜図９Ｂの実施の形態は、第３保護膜が除去されるため、その分の厚さを薄くすることができる利点がある。以下では図６〜図７Ｂに示された例と異なる点についてのみ説明する。
【００８５】
図８〜図９Ｂの実施の形態に従うタッチセンサ一体型表示装置において、第１−１、第１−２、第２−１及び２−２タッチ及び共通電極は、第２保護膜（ＰＡＳ２）上に配置される。第１−１及び第２−２ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９；ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）は、第１方向に互いに並行するように配列されるが、ゲートライン（ＧＬ）と重畳されず、ゲートライン（ＧＬ）と同じ層である基板上に配置される。また、第１−２及び第２−１ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８；ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）は、第１保護膜（ＰＡＳ１）上に配置される。
【００８６】
奇数番目の行の奇数番目の列に配置される第１−１タッチ及び共通電極（Ｔｘ１１、Ｔｘ１３、Ｔｘ１５、Ｔｘ１７、Ｔｘ１９；Ｔｘ３１、Ｔｘ３３、Ｔｘ３５、Ｔｘ３７、Ｔｘ３９；Ｔｘ５１、Ｔｘ５３、Ｔｘ５５、Ｔｘ５７、Ｔｘ５９；Ｔｘ７１、Ｔｘ７３、Ｔｘ７５、Ｔｘ７７、Ｔｘ７９）は、ゲート絶縁膜（ＧＩ）、第１及び第２絶縁膜（ＩＮＳ１、ＩＮＳ２）、第１及び第２保護膜（ＰＡＳ１、ＰＡＳ２）を貫通する第１コンタクトホール（ＣＨ１１）を介して基板（ＳＵＢ１）上に配置された第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）にそれぞれ接続される（図５、図８、及び図９Ａを参照）。また、偶数番目の行の偶数番目の列に配置される第２−２タッチ及び共通電極（Ｔｘ２２、Ｔｘ２４、Ｔｘ２６、Ｔｘ２８；Ｔｘ４２、Ｔｘ４４、Ｔｘ４６、Ｔｘ４８；Ｔｘ６２、Ｔｘ６４、Ｔｘ６６、Ｔｘ６８；Ｔｘ８２、Ｔｘ８４、Ｔｘ８６、Ｔｘ８８）は、ゲート絶縁膜（ＧＩ）、第１及び第２絶縁膜（ＩＮＳ１、ＩＮＳ２）、第１及び第２保護膜（ＰＡＳ１、ＰＡＳ２）を貫通する第２コンタクトホール（ＣＨ２２）を介して基板（ＳＵＢ１）上に配置された第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）にそれぞれ接続される（図５、図８及び図９Ａを参照）。
【００８７】
一方、第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）と第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）は、図８及び図９Ｂに示すように、第１保護膜（ＰＡＳ１）に配置され、第２方向に互いに並行するように配列される。
【００８８】
奇数番目の行の偶数番目の列に配置される第１−２タッチ及び共通電極（Ｔｘ１２、Ｔｘ１４、Ｔｘ１６、Ｔｘ１８；Ｔｘ３２、Ｔｘ３４、Ｔｘ３６、Ｔｘ３８；Ｔｘ５２、Ｔｘ５４、Ｔｘ５６、Ｔｘ５８；Ｔｘ７２、Ｔｘ７４、Ｔｘ７６、Ｔｘ７８）は、第２保護膜（ＰＡＳ２）を貫通する第３コンタクトホール（ＣＨ１２）を介して、第１保護膜（ＰＡＳ１）上に配置された第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）にそれぞれ接続される（図８及び図９Ｂを参照）。また、偶数番目の行の奇数番目の列に配置される第２−１タッチ及び共通電極（Ｔｘ２１、Ｔｘ２３、Ｔｘ２５、Ｔｘ２７、Ｔｘ２９；Ｔｘ４１、Ｔｘ４３、Ｔｘ４５、Ｔｘ４７、Ｔｘ４９；Ｔｘ６１、Ｔｘ６３、Ｔｘ６５、Ｔｘ６７、Ｔｘ６９；Ｔｘ８１、Ｔｘ８３、Ｔｘ８５、Ｔｘ８７、Ｔｘ８９）は、第２保護膜（ＰＡＳ２）を貫通する第４コンタクトホール（ＣＨ２１）を介して、第１保護膜（ＰＡＳ１）上に配置された第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）にそれぞれ接続される（図８及び図９Ｂを参照）。
【００８９】
次に、図１０を参照して、本発明の第２の実施の形態に従うタッチセンサ一体型表示装置について説明する。図１０は、本発明の第２の実施の形態に従うタッチセンサ一体型表示装置のタッチ及び共通電極とルーティング配線の接続関係を示す平面図である。
【００９０】
図１０を参照すると、本発明の第２の実施の形態に従うタッチセンサ一体型表示装置は、アクティブ領域（ＡＡ）と、アクティブ領域（ＡＡ）の外側に配置されるベゼル領域（ＢＡ）を含む。アクティブ領域（ＡＡ）は、タッチ及び共通電極（Ｔｘ１１〜Ｔｘ１９、Ｔｘ２１〜Ｔｘ２９、Ｔｘ３１〜Ｔｘ３９、Ｔｘ４１〜Ｔｘ４９、Ｔｘ５１〜Ｔｘ５９、Ｔｘ６１〜Ｔｘ６９、Ｔｘ７１〜Ｔｘ７９、Ｔｘ８１〜Ｔｘ８９）が配置され、データが表示される領域である。ベゼル領域（ＢＡ）は、ディスプレイ及びタッチコントローラ（ＩＣ）と、アクティブ領域（ＡＡ）から延長されるルーティング配線を含む各種配線が配置される領域である。
【００９１】
タッチセンサ内蔵型液晶表示装置のアクティブ領域（ＡＡ）は、互いに交差する第１方向（例えば、ｘ軸方向）及び第２方向（例えば、ｙ軸方向）に分割された複数のタッチ及び共通電極（Ｔｘ１１〜Ｔｘ１９、Ｔｘ２１〜Ｔｘ２９、Ｔｘ３１〜Ｔｘ３９、Ｔｘ４１〜Ｔｘ４９、Ｔｘ５１〜Ｔｘ５９、Ｔｘ６１〜Ｔｘ６９、Ｔｘ７１〜Ｔｘ７９、Ｔｘ８１〜Ｔｘ８９）を含む。
【００９２】
これらのタッチ及び共通電極の内、奇数番目の行の奇数番目の列に対応する第１−１タッチ及び共通電極（Ｔｘ１１、Ｔｘ１３、Ｔｘ１５、Ｔｘ１７、Ｔｘ１９；Ｔｘ３１、Ｔｘ３３、Ｔｘ３５、Ｔｘ３７、Ｔｘ３９；Ｔｘ５１、Ｔｘ５３、Ｔｘ５５、Ｔｘ５７、Ｔｘ５９；Ｔｘ７１、Ｔｘ７３、Ｔｘ７５、Ｔｘ７７、Ｔｘ７９）は、第２方向（例えば、ｙ軸方向）に配列される第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）にそれぞれ接続される。つまり、第１−１タッチ及び共通電極（Ｔｘ１１、Ｔｘ１３、Ｔｘ１５、Ｔｘ１７、Ｔｘ１９；Ｔｘ３１、Ｔｘ３３、Ｔｘ３５、Ｔｘ３７、Ｔｘ３９；Ｔｘ５１、Ｔｘ５３、Ｔｘ５５、Ｔｘ５７、Ｔｘ５９；Ｔｘ７１、Ｔｘ７３、Ｔｘ７５、Ｔｘ７７、Ｔｘ７９）は、第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）と１：１の関係に接続される。
【００９３】
奇数番目の行の偶数番目の列に対応する第１−２タッチ及び共通電極（Ｔｘ１２、Ｔｘ１４、Ｔｘ１６、Ｔｘ１８；Ｔｘ３２、Ｔｘ３４、Ｔｘ３６、Ｔｘ３８；Ｔｘ５２、Ｔｘ５４、Ｔｘ５６、Ｔｘ５８；Ｔｘ７２、Ｔｘ７４、Ｔｘ７６、Ｔｘ７８）は、第２方向と交差する第１方向（例えば、ｘ軸方向）に配列される第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）にそれぞれ接続される。つまり、第１−２タッチ及び共通電極（Ｔｘ１２、Ｔｘ１４、Ｔｘ１６、Ｔｘ１８；Ｔｘ３２、Ｔｘ３４、Ｔｘ３６、Ｔｘ３８；Ｔｘ５２、Ｔｘ５４、Ｔｘ５６、Ｔｘ５８；Ｔｘ７２、Ｔｘ７４、Ｔｘ７６、Ｔｘ７８）は、第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）と１：１の関係で接続される。
【００９４】
第１−１ルーティング配線（ＴＷ１１、ＴＷ１３、ＴＷ１５、ＴＷ１７、ＴＷ１９；ＴＷ３１、ＴＷ３３、ＴＷ３５、ＴＷ３７、ＴＷ３９；ＴＷ５１、ＴＷ５３、ＴＷ５５、ＴＷ５７、ＴＷ５９；ＴＷ７１、ＴＷ７３、ＴＷ７５、ＴＷ７７、ＴＷ７９）は、第２方向に互いに平行に配列され、第１−２ルーティング配線（ＴＷ１２、ＴＷ１４、ＴＷ１６、ＴＷ１８；ＴＷ３２、ＴＷ３４、ＴＷ３６、ＴＷ３８；ＴＷ５２、ＴＷ５４、ＴＷ５６、ＴＷ５８；ＴＷ７２、ＴＷ７４、ＴＷ７６、ＴＷ７８）は、第１方向に互いに平行に配列される。
【００９５】
また、タッチ及び共通電極の内、偶数番目の行の奇数番目の列に対応する第２−１タッチ及び共通電極（Ｔｘ２１、Ｔｘ２３、Ｔｘ２５、Ｔｘ２７、Ｔｘ２９；Ｔｘ４１、Ｔｘ４３、Ｔｘ４５、Ｔｘ４７、Ｔｘ４９；Ｔｘ６１、Ｔｘ６３、Ｔｘ６５、Ｔｘ６７、Ｔｘ６９；Ｔｘ８１、Ｔｘ８３、Ｔｘ８５、Ｔｘ８７、Ｔｘ８９）は、第１方向に配列される第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）にそれぞれ接続される。つまり、第２−１タッチ及び共通電極（Ｔｘ２１、Ｔｘ２３、Ｔｘ２５、Ｔｘ２７、Ｔｘ２９；Ｔｘ４１、Ｔｘ４３、Ｔｘ４５、Ｔｘ４７、Ｔｘ４９；Ｔｘ６１、Ｔｘ６３、Ｔｘ６５、Ｔｘ６７、Ｔｘ６９；Ｔｘ８１、Ｔｘ８３、Ｔｘ８５、Ｔｘ８７、Ｔｘ８９）は、第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）と１：１の関係で接続される。
【００９６】
偶数番目の行の偶数番目の列に対応する第２−２タッチ及び共通電極（Ｔｘ２２、Ｔｘ２４、Ｔｘ２６、Ｔｘ２８；Ｔｘ４２、Ｔｘ４４、Ｔｘ４６、Ｔｘ４８；Ｔｘ６２、Ｔｘ６４、Ｔｘ６６、Ｔｘ６８；Ｔｘ８２、Ｔｘ８４、Ｔｘ８６、Ｔｘ８８）は、第２方向に配列される第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）にそれぞれ接続される。つまり、第２−２タッチ及び共通電極（Ｔｘ２２、Ｔｘ２４、Ｔｘ２６、Ｔｘ２８；Ｔｘ４２、Ｔｘ４４、Ｔｘ４６、Ｔｘ４８；Ｔｘ６２、Ｔｘ６４、Ｔｘ６６、Ｔｘ６８；Ｔｘ８２、Ｔｘ８４、Ｔｘ８６、Ｔｘ８８）は、第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）と１：１の関係で接続される。
【００９７】
第２−１ルーティング配線（ＴＷ２１、ＴＷ２３、ＴＷ２５、ＴＷ２７、ＴＷ２９；ＴＷ４１、ＴＷ４３、ＴＷ４５、ＴＷ４７、ＴＷ４９；ＴＷ６１、ＴＷ６３、ＴＷ６５、ＴＷ６７、ＴＷ６９；ＴＷ８１、ＴＷ８３、ＴＷ８５、ＴＷ８７、ＴＷ８９）は、第１方向に互いに平行に配列され、第２−２ルーティング配線（ＴＷ２２、ＴＷ２４、ＴＷ２６、ＴＷ２８；ＴＷ４２、ＴＷ４４、ＴＷ４６、ＴＷ４８；ＴＷ６２、ＴＷ６４、ＴＷ６６、ＴＷ６８；ＴＷ８２、ＴＷ８４、ＴＷ８６、ＴＷ８８）は、第２方向に互いに平行に配列される。
【００９８】
本発明の第２の実施の形態に従うタッチセンサ一体型表示装置は、タッチ及び共通電極に接続されるルーティング配線の配列の関係のみ違うだけで、それらの間の接続関係と断面構造は、本発明の第１の実施の形態に従うタッチセンサ一体型表示装置と実質的に同一である。したがって、本発明の第１の実施の形態に従う、図６〜図９Ｂの構成は、本発明の第２の実施の形態に従う構成として適用することができる。したがって、重複説明を避けるために、それに対する詳細な説明は省略する。
【００９９】
次に、図１１を参照して、本発明の第３の実施の形態に従うタッチセンサ一体型表示装置の駆動について説明する。
【０１００】
図１１は、本発明の第３の実施の形態に係るタッチセンサ一体型表示装置のタッチ及び共通電極及びルーティング配線の接続関係を示す平面図である。
【０１０１】
図１１を参照すると、本発明の第３の実施の形態に係るタッチセンサ一体型表示装置は、アクティブ領域（ＡＡ）と、アクティブ領域（ＡＡ）の外側に配置されるベゼル領域（ＢＡ）を含む。アクティブ領域（ＡＡ）は、タッチ及び共通電極（Ｔｘ１１〜Ｔｘ１９、Ｔｘ２１〜Ｔｘ２９、Ｔｘ３１〜Ｔｘ３９、Ｔｘ４１〜Ｔｘ４９、Ｔｘ５１〜Ｔｘ５９、Ｔｘ６１〜Ｔｘ６９、Ｔｘ７１〜Ｔｘ７９、Ｔｘ８１〜Ｔｘ８９）とこれらにそれぞれ接続されるルーティング配線（ＴＷ１１〜ＴＷ１９、ＴＷ２１〜ＴＷ２９、ＴＷ３１〜ＴＷ３９、ＴＷ４１〜ＴＷ４９、ＴＷ５１〜ＴＷ５９、ＴＷ６１〜ＴＷ６９、ＴＷ７１〜ＴＷ７９、ＴＷ８１〜ＴＷ８９）が配置され、データが表示される領域である。ベゼル領域（ＢＡ）は、ドライブＩＣ（ＩＣ）と、アクティブ領域（ＡＡ）から延長されるルーティング配線を含む各種配線が配置される領域である。
【０１０２】
本発明の第３の実施の形態に係るタッチセンサ一体型表示装置は、第１方向（例えば、ｘ軸方向）に配列されるルーティング配線（ＴＷ１１、ＴＷ１３、ＴＷ１５、ＴＷ１７、ＴＷ１９；ＴＷ２２、ＴＷ２４、ＴＷ２６、ＴＷ２８；ＴＷ３１、ＴＷ３３、ＴＷ３５、ＴＷ３７、ＴＷ３９；ＴＷ４２、ＴＷ４４、ＴＷ４６、ＴＷ４８；ＴＷ５１、ＴＷ５３、ＴＷ５５、ＴＷ５７、ＴＷ５９；ＴＷ６２、ＴＷ６４、ＴＷ６６、ＴＷ６８；ＴＷ７１、ＴＷ７３、ＴＷ７５、ＴＷ７７、ＴＷ７９；ＴＷ８２、ＴＷ８４、ＴＷ８６、ＴＷ８８）の長さがアクティブ領域（ＡＡ）内ですべて同一であり、第２方向（例えば、ｙ軸方向）に配列されるルーティング配線（ＴＷ２１、ＴＷ４１、ＴＷ６１、ＴＷ８１；ＴＷ１２、ＴＷ３２、ＴＷ５２、ＴＷ７２；ＴＷ２３、ＴＷ４３、ＴＷ６３、ＴＷ８３；ＴＷ１４、ＴＷ３４、ＴＷ５４、ＴＷ７４；ＴＷ２５、ＴＷ４５、ＴＷ６５、ＴＷ８５；ＴＷ１６、ＴＷ３６、ＴＷ５６、ＴＷ７６；ＴＷ２７、ＴＷ４７、ＴＷ６７、ＴＷ８７；ＴＷ１８、ＴＷ３８、ＴＷ５８、ＴＷ７８；ＴＷ２９、ＴＷ４９、ＴＷ６９、ＴＷ８９）の長さがアクティブ領域内ですべて同じである点を除いては、第１の実施の形態に係るタッチセンサ一体型表示装置と同一である。
【０１０３】
したがって、本発明の第３の実施の形態に係るタッチセンサ一体型表示装置のルーティング配線とタッチ及び共通電極との接続関係及び断面構造は、図６〜図９Ｂに関連して説明されたものと実質的に同じであるため、それに対する詳細な説明は省略する。
【０１０４】
本発明の第３の実施の形態に係るタッチセンサ一体型表示装置に係れば、第１方向に配列されたすべてのルーティング配線の長さが同じであり、第２方向に配列されたすべてのルーティング配線の長さが同じであるため、各タッチ及び共通電極にルーティング配線の長さの偏差に伴う寄生静電容量の差を除去することができ、本発明の第１の実施の形態に係るタッチセンサ一体型表示装置に比べて、タッチ精度を向上させることができる効果がある。
【０１０５】
次に、図１２を参照して、本発明の第４の実施の形態に係るタッチセンサ一体型表示装置について説明する。
【０１０６】
図１２は、本発明の第４の実施の形態に係るタッチセンサ一体型表示装置のタッチ及び共通電極及びルーティング配線の接続関係を示す平面図である。
【０１０７】
図１２を参照すると、本発明の第４の実施の形態に係るタッチセンサ一体型表示装置は、アクティブ領域（ＡＡ）と、アクティブ領域（ＡＡ）の外側に配置されるベゼル領域（ＢＡ）を含む。アクティブ領域（ＡＡ）は、タッチ及び共通電極（Ｔｘ１１〜Ｔｘ１９、Ｔｘ２１〜Ｔｘ２９、Ｔｘ３１〜Ｔｘ３９、Ｔｘ４１〜Ｔｘ４９、Ｔｘ５１〜Ｔｘ５９、Ｔｘ６１〜Ｔｘ６９、Ｔｘ７１〜Ｔｘ７９、Ｔｘ８１〜Ｔｘ８９）とこれらにそれぞれ接続されるルーティング配線（ＴＷ１１〜ＴＷ１９、ＴＷ２１〜ＴＷ２９、ＴＷ３１〜ＴＷ３９、ＴＷ４１〜ＴＷ４９、ＴＷ５１〜ＴＷ５９、ＴＷ６１〜ＴＷ６９、ＴＷ７１〜ＴＷ７９、ＴＷ８１〜ＴＷ８９）が配置され、データが表示される領域である。ベゼル領域（ＢＡ）は、ドライブＩＣ（ＩＣ）と、アクティブ領域（ＡＡ）から延長されるルーティング配線を含む各種配線が配置される領域である。
【０１０８】
本発明の第４の実施の形態に係るタッチセンサ一体型表示装置は、第１方向（例えば、ｘ軸方向）に配列されるルーティング配線（ＴＷ１２、ＴＷ１４、ＴＷ１６、ＴＷ１８；ＴＷ２１、ＴＷ２３、ＴＷ２５、ＴＷ２７、ＴＷ２９；ＴＷ３２、ＴＷ３４、ＴＷ３６、ＴＷ３８；ＴＷ４１、ＴＷ４３、ＴＷ４５、ＴＷ４７、ＴＷ４９；ＴＷ５２、ＴＷ５４、ＴＷ５６、ＴＷ５８；ＴＷ６１、ＴＷ６３、ＴＷ６５、ＴＷ６７、ＴＷ６９；ＴＷ７２、ＴＷ７４、ＴＷ７６、ＴＷ７８；ＴＷ８１、ＴＷ８３、ＴＷ８５、ＴＷ８７、ＴＷ８９）の長さがアクティブ領域（ＡＡ）内ですべて同一であり、第２方向（例えば、ｙ軸方向）に配列されるルーティング配線（ＴＷ１１、ＴＷ３１、ＴＷ５１、ＴＷ７１；ＴＷ２２、ＴＷ４２、ＴＷ６２、ＴＷ８２；ＴＷ１３、ＴＷ３３、ＴＷ５３、ＴＷ７３；ＴＷ２４、ＴＷ４４、ＴＷ６４、ＴＷ８４；ＴＷ１５、ＴＷ３５、ＴＷ５５、ＴＷ７５；ＴＷ２６、ＴＷ４６、ＴＷ６６、ＴＷ８６；ＴＷ１７、ＴＷ３７、ＴＷ５７、ＴＷ７７；ＴＷ２８、ＴＷ４８、ＴＷ６８、ＴＷ８８；ａｎｄ ＴＷ１９、ＴＷ３９、ＴＷ５９、ＴＷ７９）の長さがアクティブ領域内ですべて同じである点を除いては、第２の実施の形態に係るタッチセンサ一体型表示装置と同一である。
【０１０９】
したがって、本発明の第４の実施の形態に係るタッチセンサ一体型表示装置のルーティング配線とタッチ及び共通電極との接続関係及び断面構造は、図６〜図９Ｂに関連して説明されたものと実質的に同じであるため、それに対する詳細な説明は省略する。
【０１１０】
本発明の第４の実施の形態に係るタッチセンサ一体型表示装置に係れば、第１方向に配列されたすべてのルーティング配線の長さが同じであり、第２方向に配列されたすべてのルーティング配線の長さが同じであるため、各タッチ及び共通電極にルーティング配線の長さの偏差に伴う寄生静電容量の差を除去することができ、本発明の第２の実施の形態に係るタッチセンサ一体型表示装置に比べて、タッチ精度を向上させることができる効果がある。
【０１１１】
次に、図１３を参照して、本発明の第５の実施の形態に係るタッチセンサ一体型表示装置について説明する。
【０１１２】
図１３は、本発明の第５の実施の形態に係るタッチセンサ一体型表示装置のタッチ及び共通電極とルーティング配線の接続関係を示す平面図である。
【０１１３】
図１３を参照すると、本発明の第５の実施の形態に係るタッチセンサ一体型表示装置は、アクティブ領域（ＡＡ）と、アクティブ領域（ＡＡ）の外側に配置されるベゼル領域（ＢＡ）を含む。アクティブ領域（ＡＡ）は、タッチ及び共通電極（Ｔｘ１１〜Ｔｘ１ｃ、Ｔｘ２１〜Ｔｘ２ｃ、Ｔｘ３１〜Ｔｘ３ｃ、Ｔｘ４１〜Ｔｘ４ｃ、Ｔｘ５１〜Ｔｘ５ｃ、Ｔｘ６１〜Ｔｘ６ｃ、Ｔｘ７１〜Ｔｘ７ｃ、Ｔｘ８１〜Ｔｘ８ｃ）と、これらにそれぞれ接続されるルーティング配線（ＴＷ１１〜ＴＷ１ｃ、ＴＷ２１〜ＴＷ２ｃ、ＴＷ３１〜ＴＷ３ｃ、ＴＷ４１〜ＴＷ４ｃ、ＴＷ５１〜ＴＷ５ｃ、ＴＷ６１〜ＴＷ６ｃ、ＴＷ７１〜ＴＷ７ｃ、ＴＷ８１〜ＴＷ８ｃ）が配置され、データが表示される領域である。ベゼル領域（ＢＡ）は、ドライブＩＣ（ＩＣ）と、アクティブ領域（ＡＡ）から延長されるルーティング配線を含む各種配線が配置される領域である。
【０１１４】
本発明の第５の実施の形態に係るタッチセンサ一体型表示装置は、ドライブＩＣ（ＩＣ＿Ｌ１、ＩＣ＿Ｌ２、ＩＣ＿Ｒ１、ＩＣ＿Ｒ２、ＩＣＵ１、ＩＣ＿Ｕ２、ＩＣ＿Ｕ３、ＩＣ＿ＬＯ１、ＩＣ＿ＬＯ２、ＩＣ＿ＬＯ３）がアクティブ領域（ＡＡ）外側の左右両側と上下両側に配置される点と、これらのドライブＩＣ（ＩＣ＿Ｌ１、ＩＣ＿Ｌ２、ＩＣ＿Ｒ１、ＩＣ＿Ｒ２、ＩＣＵ１、ＩＣ＿Ｕ２、ＩＣ＿Ｕ３、ＩＣ＿ＬＯ１、ＩＣ＿ＬＯ２、ＩＣ＿ＬＯ３）がアクティブ領域（ＡＡ）内の一定領域（Ｌ１Ａ、Ｌ２Ａ、Ｒ１Ａ、Ｒ２Ａ、Ｕ１Ａ、Ｕ２Ａ、Ｕ３Ａ、ＬＯ１Ａ、ＬＯ２Ａ、ＬＯ３Ａ）に配置されたタッチ及び共通電極（Ｔｘ１１、Ｔｘ１３、Ｔｘ１５、Ｔｘ２２、Ｔｘ２４、Ｔｘ２６、Ｔｘ３１、Ｔｘ３３、Ｔｘ３５、Ｔｘ４２、Ｔｘ４４、Ｔｘ４６；Ｔｘ５１、Ｔｘ５３、Ｔｘ５５、Ｔｘ６２、Ｔｘ６４、Ｔｘ６６、Ｔｘ７１、Ｔｘ７３、Ｔｘ７５、Ｔｘ８２、Ｔｘ８４、Ｔｘ８６；Ｔｘ１７、Ｔｘ１９、Ｔｘ１ｂ、Ｔｘ２８、Ｔｘ２ａ、Ｔｘ２ｃ、Ｔｘ３７、Ｔｘ３９、Ｔｘ３ｂ、Ｔｘ４８、Ｔｘ４ａ、Ｔｘ４ｃ；Ｔｘ５７、Ｔｘ５９、Ｔｘ５ｂ、Ｔｘ６８、Ｔｘ６ａ、Ｔｘ６ｃ、Ｔｘ７７、Ｔｘ７９、Ｔｘ７ｂ、Ｔｘ８８、Ｔｘ８ａ、Ｔｘ８ｃ；Ｔｘ２１、Ｔｘ４１、Ｔｘ１２、Ｔｘ３２、Ｔｘ２３、Ｔｘ４３、Ｔｘ１４、Ｔｘ３４；Ｔｘ２５、Ｔｘ４５、Ｔｘ１６、Ｔｘ３６、Ｔｘ２７、Ｔｘ４７、Ｔｘ１８、Ｔｘ３８；Ｔｘ２９、Ｔｘ４９、Ｔｘ１ａ、Ｔｘ３ａ、Ｔｘ２ｂ、Ｔｘ４ｂ、Ｔｘ１ｃ、Ｔｘ３ｃ；Ｔｘ６１、Ｔｘ８１、Ｔｘ５２、Ｔｘ７２、Ｔｘ６３、Ｔｘ８３、Ｔｘ５４、Ｔｘ７４；Ｔｘ６５、Ｔｘ８５、Ｔｘ５６、Ｔｘ７６、Ｔｘ６７、Ｔｘ８７、Ｔｘ５８、Ｔｘ７８；Ｔｘ６９、Ｔｘ８９、Ｔｘ５ａ、Ｔｘ７ａ、Ｔｘ６ｂ、Ｔｘ８ｂ、Ｔｘ５ｃ、Ｔｘ７ｃ）を分担して、タッチ駆動とセンシングする点を除いては、第１の実施の形態に係るタッチセンサ一体型表示装置と同一である。
【０１１５】
したがって、本発明の第５の実施の形態に係るタッチセンサ一体型表示装置のルーティング配線とタッチ及び共通電極との接続関係と断面構造は、図６〜図９Ｂに関連して説明されたものと実質的に同一である。
【０１１６】
以下では、本願発明の第１の実施の形態の構成と異なる第５の実施の形態に係るタッチセンサ一体型表示装置について説明する。
【０１１７】
本発明の第５の実施の形態に係るタッチセンサ一体型表示装置のアクティブ領域（ＡＡ）は、第１〜第１０ドライブＩＣ（ＩＣ＿Ｌ１、ＩＣ＿Ｌ２、ＩＣ＿Ｒ１、ＩＣ＿Ｒ２、ＩＣＵ１、ＩＣ＿Ｕ２、ＩＣ＿Ｕ３、ＩＣ＿ＬＯ１、ＩＣ＿ＬＯ２、ＩＣ＿ＬＯ３）にそれぞれ対応する第１乃至第１０領域（Ｌ１Ａ、Ｌ２Ａ、Ｒ１Ａ、Ｒ２Ａ、Ｕ１Ａ、Ｕ２Ａ、Ｕ３Ａ、ＬＯ１Ａ、ＬＯ２Ａ、ＬＯ３Ａ）を含む。第１領域乃至第４領域（Ｌ１Ａ、Ｌ２Ａ、Ｒ１Ａ、Ｒ２Ａ）は、第５乃至第１０領域（Ｕ１Ａ、Ｕ２Ａ、Ｕ３Ａ、ＬＯ１Ａ、ＬＯ２Ａ、ＬＯ３Ａ）と重畳する。
【０１１８】
第１乃至第１０の領域（Ｌ１Ａ、Ｌ２Ａ、Ｒ１Ａ、Ｒ２Ａ、Ｕ１Ａ、Ｕ２、Ｕ３Ａ、ＬＯ１Ａ、ＬＯ２Ａ、ＬＯ３Ａ）には、第１乃至第１０タッチ及び共通電極（Ｔｘ１１、Ｔｘ１３、Ｔｘ１５、Ｔｘ２２、Ｔｘ２４、Ｔｘ２６、Ｔｘ３１、Ｔｘ３３、Ｔｘ３５、Ｔｘ４２、Ｔｘ４４、Ｔｘ４６；Ｔｘ５１、Ｔｘ５３、Ｔｘ５５、Ｔｘ６２、Ｔｘ６４、Ｔｘ６６、Ｔｘ７１、Ｔｘ７３、Ｔｘ７５、Ｔｘ８２、Ｔｘ８４、Ｔｘ８６；Ｔｘ１７、Ｔｘ１９、Ｔｘ１ｂ、Ｔｘ２８、Ｔｘ２ａ、Ｔｘ２ｃ、Ｔｘ３７、Ｔｘ３９、Ｔｘ３ｂ、Ｔｘ４８、Ｔｘ４ａ、Ｔｘ４ｃ；Ｔｘ５７、Ｔｘ５９、Ｔｘ５ｂ、Ｔｘ６８、Ｔｘ６ａ、Ｔｘ６ｃ、Ｔｘ７７、Ｔｘ７９、Ｔｘ７ｂ、Ｔｘ８８、Ｔｘ８ａ、Ｔｘ８ｃ；Ｔｘ２１、Ｔｘ４１、Ｔｘ１２、Ｔｘ３２、Ｔｘ２３、Ｔｘ４３、Ｔｘ１４、Ｔｘ３４；Ｔｘ２５、Ｔｘ４５、Ｔｘ１６、Ｔｘ３６、Ｔｘ２７、Ｔｘ４７、Ｔｘ１８、Ｔｘ３８；Ｔｘ２９、Ｔｘ４９、Ｔｘ１ａ、Ｔｘ３ａ、Ｔｘ２ｂ、Ｔｘ４ｂ、Ｔｘ１ｃ、Ｔｘ３ｃ；Ｔｘ６１、Ｔｘ８１、Ｔｘ５２、Ｔｘ７２、Ｔｘ６３、Ｔｘ８３、Ｔｘ５４、Ｔｘ７４；Ｔｘ６５、Ｔｘ８５、Ｔｘ５６、Ｔｘ７６、Ｔｘ６７、Ｔｘ８７、Ｔｘ５８、Ｔｘ７８；Ｔｘ６９、Ｔｘ８９、Ｔｘ５ａ、Ｔｘ７ａ、Ｔｘ６ｂ、Ｔｘ８ｂ、Ｔｘ５ｃ、Ｔｘ７ｃ）がそれぞれ配置される。第１領域（Ｌ１Ａ）に配置された第１タッチ及び共通電極（Ｔｘ１１、Ｔｘ１３、Ｔｘ１５、Ｔｘ２２、Ｔｘ２４、Ｔｘ２６、Ｔｘ３１、Ｔｘ３３、Ｔｘ３５、Ｔｘ４２、Ｔｘ４４、Ｔｘ４６）は、第１方向に配列される第１ルーティング配線（ＴＷ１１、ＴＷ１３、ＴＷ１５、ＴＷ２２、ＴＷ２４、ＴＷ２６、ＴＷ３１、ＴＷ３３、ＴＷ３５、ＴＷ４２、ＴＷ４４、ＴＷ４６）を介してアクティブ領域（ＡＡ）の左側に配置された第１ドライブＩＣ（ＩＣ＿Ｌ１）に接続される。
【０１１９】
第２領域（Ｌ２Ａ）に配置された第２のタッチ及び共通電極（Ｔｘ５１、Ｔｘ５３、Ｔｘ５５、Ｔｘ６２、Ｔｘ６４、Ｔｘ６６、Ｔｘ７１、Ｔｘ７３、Ｔｘ７５、Ｔｘ８２、Ｔｘ８４、Ｔｘ８６）は、第１方向に配列されている第２のルーティング配線（ＴＷ５１、ＴＷ５３、ＴＷ５５、ＴＷ６２、ＴＷ６４、ＴＷ６６、ＴＷ７１、ＴＷ７３、ＴＷ７５、ＴＷ８２、ＴＷ８４、ＴＷ８６）を介して第２ドライブＩＣ（ＩＣ＿Ｌ２）にそれぞれ接続される。
【０１２０】
第３領域（Ｒ１Ａ）に配置された第３タッチ及び共通電極（Ｔｘ１７、Ｔｘ１９、Ｔｘ１ｂ、Ｔｘ２８、Ｔｘ２ａ、Ｔｘ２ｃ、Ｔｘ３７、Ｔｘ３９、Ｔｘ３ｂ、Ｔｘ４８、Ｔｘ４ａ４、Ｔｘ４ｃ）は、第１方向の逆方向である第３方向に配列される第３ルーティング配線（ＴＷ１７、ＴＷ１９、ＴＷ１ｂ、ＴＷ２８、ＴＷ２ａ、ＴＷ２ｃ、ＴＷ３７、ＴＷ３９、ＴＷ３ｂ、ＴＷ４８、ＴＷ４ａ、ＴＷ４ｃ）を介してアクティブ領域（ＡＡ）の右側に配置された第３ドライブＩＣ（ＩＣ＿Ｒ１）にそれぞれ接続される。
【０１２１】
第４領域（Ｒ２Ａ）に配置された第４タッチ及び共通電極（Ｔｘ５７、Ｔｘ５９、Ｔｘ５ｂ、Ｔｘ６８、Ｔｘ６ａ、Ｔｘ６ｃ、Ｔｘ７７、Ｔｘ７９、Ｔｘ７ｂ、Ｔｘ８８、Ｔｘ８ａ、Ｔｘ８ｃ）は、第３方向に配列される第４ルーティング配線（ＴＷ５７、ＴＷ５９、ＴＷ５ｂ、ＴＷ６８、ＴＷ６ａ、ＴＷ６ｃ、ＴＷ７７、ＴＷ７９、ＴＷ７ｂ、ＴＷ８８、ＴＷ８ａ、ＴＷ８ｃ）を介して第４ドライブＩＣ（ＩＣ＿Ｒ２）にそれぞれ接続される。
【０１２２】
第５領域（Ｕ１Ａ）は、第１領域（Ｌ１Ａ）の一部と重なる。第５領域（Ｕ１Ａ）に配置された第５タッチ及び共通電極（Ｔｘ２１、Ｔｘ４１、Ｔｘ１２、Ｔｘ３２、Ｔｘ２３、Ｔｘ４３、Ｔｘ１４、Ｔｘ３４）は、第１方向と交差する第２方向に配列される第５ルーティング配線（ＴＷ２１、ＴＷ４１、ＴＷ１２、ＴＷ３２、ＴＷ２３、ＴＷ４３、ＴＷ１４、ＴＷ３４）を介して第５ドライブＩＣ（ＩＣ＿Ｕ１）にそれぞれ接続される。
【０１２３】
第６領域（Ｕ２Ａ）は、第１領域（Ｌ１Ａ）の一部と第３領域（Ｒ１Ａ）の一部と重なる。第６領域（Ｕ２Ａ）に配置された第６タッチ及び共通電極（Ｔｘ２５、Ｔｘ４５、Ｔｘ１６、Ｔｘ３６、Ｔｘ２７、Ｔｘ４７、Ｔｘ１８、Ｔｘ３８）は、第１方向と交差する第２方向に配列される第６ルーティング配線（ＴＷ２５、ＴＷ４５、ＴＷ１６、ＴＷ３６、ＴＷ２７、ＴＷ４７、ＴＷ１８、ＴＷ３８）を介して第６ドライブＩＣ（ＩＣ＿Ｕ２）にそれぞれ接続される。
【０１２４】
第７領域（Ｕ３Ａ）は、第３領域（Ｒ１Ａ）の一部と重なる。第７領域（Ｕ３Ａ）に配置された第７タッチ及び共通電極（Ｔｘ２９、Ｔｘ４９、Ｔｘ１ａ、Ｔｘ３ａ、Ｔｘ２ｂ、Ｔｘ４ｂ、Ｔｘ１ｃ、Ｔｘ３ｃ）は、第１方向と交差する第２方向に配列される第７ルーティング配線（ＴＷ２９、ＴＷ４９、ＴＷ１ａ、ＴＷ３ａ、ＴＷ２ｂ、ＴＷ４ｂ、ＴＷ１ｃ、ＴＷ３ｃ）を介して第７ドライブＩＣ（ＩＣ＿Ｕ３）にそれぞれ接続される。
【０１２５】
第８領域（ＬＯ１Ａ）は、第２領域（Ｌ２Ａ）の一部と重なる。第８領域（ＬＯ１Ａ）に配置された第８タッチ及び共通電極（Ｔｘ６１、Ｔｘ８１、Ｔｘ５２、Ｔｘ７２、Ｔｘ６３、Ｔｘ８３、Ｔｘ５４、Ｔｘ７４）は、第２方向と逆方向の第４方向に配列されている第８ルーティング配線（ＴＷ６１、ＴＷ８１、ＴＷ５２、ＴＷ７２、ＴＷ６３、ＴＷ８３、ＴＷ５４、ＴＷ７４）を介して第８ドライブＩＣ（ＩＣ＿ＬＯ１）にそれぞれ接続される。
【０１２６】
第９領域（ＬＯ２Ａ）は、第２領域（Ｌ２Ａ）の一部と第４領域（Ｒ２Ａ）の一部と重なる。第９領域（ＬＯ２Ａ）に配置された第９タッチ及び共通電極（Ｔｘ６５、Ｔｘ８５、Ｔｘ５６、Ｔｘ７６、Ｔｘ６７、Ｔｘ８７、Ｔｘ５８、Ｔｘ７８）は、第１方向と交差する第２方向に配列される第９ルーティング配線（ＴＷ６５、ＴＷ８５、ＴＷ５６、ＴＷ７６、ＴＷ６７、ＴＷ８７、ＴＷ５８、ＴＷ７８）を介して第９ドライブＩＣ（ＩＣ＿ＬＯ２）にそれぞれ接続される。
【０１２７】
第１０領域（ＬＯ３Ａ）は、第４領域（Ｒ２Ａ）の一部と重なる。第１０領域（ＬＯ３Ａ）に配置された第１０タッチ及び共通電極（Ｔｘ６９、Ｔｘ８９、Ｔｘ５ａ、Ｔｘ７ａ、Ｔｘ６ｂ、Ｔｘ８ｂ、Ｔｘ５ｃ、Ｔｘ７ｃ）は、第１方向と交差する第２方向に配列される第１０ルーティング配線（ＴＷ６９、ＴＷ８９、ＴＷ５ａ、ＴＷ７ａ、ＴＷ６ｂ、ＴＷ８ｂ、ＴＷ５ｃ、ＴＷ７ｃ）を介して第１０ドライブＩＣ（ＩＣ＿ＬＯ３）にそれぞれ接続される。
【０１２８】
前述したように、本発明の第５の実施の形態に係るタッチセンサ一体型表示装置においては、第１乃至第４の領域（Ｌ１Ａ、Ｌ２ａ、Ｒ１Ａ、Ｒ２ａ）に配置された第１乃至第４のタッチ及び共通電極（Ｔｘ１１、Ｔｘ１３、Ｔｘ１５、Ｔｘ２２、Ｔｘ２４、Ｔｘ２６、Ｔｘ３１、Ｔｘ３３、Ｔｘ３５、Ｔｘ４２、Ｔｘ４４、Ｔｘ４６；Ｔｘ５１、Ｔｘ５３、Ｔｘ５５、Ｔｘ６２、Ｔｘ６４、Ｔｘ６６、Ｔｘ７１、Ｔｘ７３、Ｔｘ７５、Ｔｘ８２、Ｔｘ８４、Ｔｘ８６；Ｔｘ１７、Ｔｘ１９、Ｔｘ１ｂ、Ｔｘ２８、Ｔｘ２ａ、Ｔｘ２ｃ、Ｔｘ３７、Ｔｘ３９、Ｔｘ３ｂ、Ｔｘ４８、Ｔｘ４ａ、Ｔｘ４ｃ；Ｔｘ５７、Ｔｘ５９、Ｔｘ５ｂ、Ｔｘ６８、Ｔｘ６ａ、Ｔｘ６ｃ、Ｔｘ７７、Ｔｘ７９、Ｔｘ７ｂ、Ｔｘ８８、Ｔｘ８ａ、Ｔｘ８ｃ）は、第１方向に配列された第１乃至第４のルーティング配線（ＴＷ１１、ＴＷ１３、ＴＷ１５、ＴＷ２２、ＴＷ２４、ＴＷ２６、ＴＷ３１、ＴＷ３３、ＴＷ３５、ＴＷ４２、ＴＷ４４、ＴＷ４６；ＴＷ５１、ＴＷ５３、ＴＷ５５、ＴＷ６２、ＴＷ６４、ＴＷ６６、ＴＷ７１、ＴＷ７３、ＴＷ７５、ＴＷ８２、ＴＷ８４、ＴＷ８６；ＴＷ１７、ＴＷ１９、ＴＷ１ｂ、ＴＷ２８、ＴＷ２ａ、ＴＷ２ｃ、ＴＷ３７、ＴＷ３９、ＴＷ３ｂ、ＴＷ４８、ＴＷ４ａ、ＴＷ４ｃ；ＴＷ５７、ＴＷ５９、ＴＷ５ｂ、ＴＷ６８、ＴＷ６ａ、ＴＷ６ｃ、ＴＷ７７、ＴＷ７９、ＴＷ７ｂ、ＴＷ８８、ＴＷ８ａ、ＴＷ８ｃ）によって第１乃至第４ドライブＩＣ（ＩＣ＿Ｌ１、ＩＣ＿Ｌ２、ＩＣ＿Ｒ１、ＩＣ＿Ｒ２）にそれぞれ接続される。また、第５乃至第１０領域（Ｕ１Ａ、Ｕ２Ａ、Ｕ３Ａ、ＬＯ１Ａ、ＬＯ２Ａ、ＬＯ３Ａ）に配置された第５乃至第１０タッチ及び共通電極（Ｔｘ２１、Ｔｘ４１、Ｔｘ１２、Ｔｘ３２、Ｔｘ２３、Ｔｘ４３、Ｔｘ１４、Ｔｘ３４；Ｔｘ２５、Ｔｘ４５、Ｔｘ１６、Ｔｘ３６、Ｔｘ２７、Ｔｘ４７、Ｔｘ１８、Ｔｘ３８；Ｔｘ２９、Ｔｘ４９、Ｔｘ１ａ、Ｔｘ３ａ、Ｔｘ２ｂ、Ｔｘ４ｂ、Ｔｘ１ｃ、Ｔｘ３ｃ；Ｔｘ６１、Ｔｘ８１、Ｔｘ５２、Ｔｘ７２、Ｔｘ６３、Ｔｘ８３、Ｔｘ５４、Ｔｘ７４；Ｔｘ６５、Ｔｘ８５、Ｔｘ５６、Ｔｘ７６、Ｔｘ６７、Ｔｘ８７、Ｔｘ５８、Ｔｘ７８；Ｔｘ６９、Ｔｘ８９、Ｔｘ５ａ、Ｔｘ７ａ、Ｔｘ６ｂ、Ｔｘ８ｂ、Ｔｘ５ｃ、Ｔｘ７ｃ）は、第２方向に配列された第５乃至第１０ルーティング配線（ＴＷ２１、ＴＷ４１、ＴＷ１２、ＴＷ３２、ＴＷ２３、ＴＷ４３、ＴＷ１４、ＴＷ３４；ＴＷ２５、ＴＷ４５、ＴＷ１６、ＴＷ３６、ＴＷ２７、ＴＷ４７、ＴＷ１８、ＴＷ３８；ＴＷ２９、ＴＷ４９、ＴＷ１ａ、ＴＷ３ａ、ＴＷ２ｂ、ＴＷ４ｂ、ＴＷ１ｃ、ＴＷ３ｃ；ＴＷ６１、ＴＷ８１、ＴＷ５２、ＴＷ７２、ＴＷ６３、ＴＷ８３、ＴＷ５４、ＴＷ７４；ＴＷ６５、ＴＷ８５、ＴＷ５６、ＴＷ７６、ＴＷ６７、ＴＷ８７、ＴＷ５８、ＴＷ７８；ＴＷ６９、ＴＷ８９、ＴＷ５ａ、ＴＷ７ａ、ＴＷ６ｂ、ＴＷ８ｂ、ＴＷ５ｃ、ＴＷ７ｃ）によって第５乃至第１０ドライブＩＣ（ＩＣ＿Ｕ１、ＩＣ＿Ｕ２、ＩＣ＿Ｕ３、ＩＣ＿ＬＯ１、ＩＣ＿ＬＯ２、ＩＣ＿ＬＯ３）にそれぞれ接続される。
【０１２９】
前述した本発明の第５の実施の形態に係るタッチセンサ一体型表示装置に係れば、アクティブ領域（ＡＡ）に配置されるタッチ及び共通電極が上下方向と左右方向の４方向に配置されたドライブＩＣに接続されるので、第１乃至第４の実施の形態に係るタッチセンサ一体型表示装置に比べて１側に配置されるルーティング配線の数を半分に減らすことができる。したがって、大画面表示パネルの場合にも適用することができる効果を得ることができる。
【０１３０】
次に、図１４を参照して、本発明の第６の実施の形態に係るタッチセンサ一体型表示装置について説明する。
【０１３１】
図１４は、本発明の第６の実施の形態に係るタッチセンサ一体型表示装置のタッチ及び共通電極及びルーティング配線の接続関係を示す平面図である。
【０１３２】
図１４を参照すると、本発明の第６の実施の形態に係るタッチセンサ一体型表示装置は、アクティブ領域（ＡＡ）と、アクティブ領域（ＡＡ）の外側に配置されるベゼル領域（ＢＡ）とを含む。アクティブ領域（ＡＡ）は、タッチ及び共通電極（Ｔｘ１１〜Ｔｘ１ｃ、Ｔｘ２１〜Ｔｘ２ｃ、Ｔｘ３１〜Ｔｘ３ｃ、Ｔｘ４１〜Ｔｘ４ｃ、Ｔｘ５１〜Ｔｘ５ｃ、Ｔｘ６１〜Ｔｘ６ｃ、Ｔｘ７１〜Ｔｘ７ｃ、Ｔｘ８１〜Ｔｘ８ｃ）と、これらにそれぞれ接続されるルーティング配線（ＴＷ１１〜ＴＷ１ｃ、ＴＷ２１〜ＴＷ２ｃ、ＴＷ３１〜ＴＷ３ｃ、ＴＷ４１〜ＴＷ４ｃ、ＴＷ５１〜ＴＷ５ｃ、ＴＷ６１〜ＴＷ６ｃ、ＴＷ７１〜ＴＷ７ｃ、ＴＷ８１〜ＴＷ８ｃ）が配置され、データが表示される領域である。ベゼル領域（ＢＡ）は、ドライブＩＣ（ＩＣ）と、アクティブ領域（ＡＡ）から延長されるルーティング配線を含む各種配線が配置される領域である。
【０１３３】
本発明の第６の実施の形態に係るタッチセンサ一体型表示装置は、第１乃至第１０領域のそれぞれに配置された第１乃至第１０タッチ及び共通電極に接続され、同じ方向に配置されるルーティング配線の長さが同じことを除いては、第５の実施の形態に係るタッチセンサ一体型表示装置と同じである。
【０１３４】
具体的には、第１領域（Ｌ１Ａ）内で第１方向に配列される第１ルーティング配線（ＴＷ１１、ＴＷ１３、ＴＷ１５、ＴＷ２２、ＴＷ２４、ＴＷ２６、ＴＷ３１、ＴＷ３３、ＴＷ３５、ＴＷ４２、ＴＷ４４、ＴＷ４６）の長さはすべて同じである。
【０１３５】
第２領域（Ｌ２Ａ）内で第１方向に配列される第２ルーティング配線（ＴＷ５１、ＴＷ５３、ＴＷ５５、ＴＷ６２、ＴＷ６４、ＴＷ６６、ＴＷ７１、ＴＷ７３、ＴＷ７５、ＴＷ８２、ＴＷ８４、ＴＷ８６）の長さは、すべて同じである。
【０１３６】
第３領域（Ｒ１Ａ）内で第３方向に配列される第３ルーティング配線（ＴＷ１７、ＴＷ１９、ＴＷ１ｂ、ＴＷ２８、ＴＷ２ａ、ＴＷ２ｃ、ＴＷ３７、ＴＷ３９、ＴＷ３ｂ、ＴＷ４８、ＴＷ４ａ、ＴＷ４ｃ）の長さは、すべて同じである。
【０１３７】
第４領域（Ｒ２Ａ）内で第３方向に配列される第４ルーティング配線（ＴＷ５７、ＴＷ５９、ＴＷ５ｂ、ＴＷ６８、ＴＷ６ａ、ＴＷ６ｃ、ＴＷ７７、ＴＷ７９、ＴＷ７ｂ、ＴＷ８８、ＴＷ８ａ、ＴＷ８ｃ）の長さは、すべて同じである。
【０１３８】
第５領域（Ｕ１Ａ）内で第１方向と交差する第２方向に配列される第５ルーティング配線（ＴＷ２１、ＴＷ４１、ＴＷ１２、ＴＷ３２、ＴＷ２３、ＴＷ４３、ＴＷ１４、ＴＷ３４）の長さはすべて同じである。
【０１３９】
第６領域（Ｕ２Ａ）内で第１方向と交差する第２方向に配列される第６ルーティング配線（ＴＷ２５、ＴＷ４５、ＴＷ１６、ＴＷ３６、ＴＷ２７、ＴＷ４７、ＴＷ１８、ＴＷ３８）の長さはすべて同じである。
【０１４０】
第７領域（Ｕ３Ａ）内で第１方向と交差する第２方向に配列される第７ルーティング配線（ＴＷ２９、ＴＷ４９、ＴＷ１ａ、ＴＷ３ａ、ＴＷ２ｂ、ＴＷ４ｂ、ＴＷ１ｃ、ＴＷ３ｃ）の長さはすべて同じである。
【０１４１】
第８領域（ＬＯ１Ａ）内で第４方向に配列される第８ルーティング配線（ＴＷ６１、ＴＷ８１、ＴＷ５２、ＴＷ７２、ＴＷ６３、ＴＷ８３、ＴＷ５４、ＴＷ７４）の長さはすべて同じである。
【０１４２】
第９領域（ＬＯ２Ａ）内で第１方向と交差する第２方向に配列される第９ルーティング配線（ＴＷ６５、ＴＷ８５、ＴＷ５６、ＴＷ７６、ＴＷ６７、ＴＷ８７、ＴＷ５８、ＴＷ７８）の長さはすべて同じである。
【０１４３】
第１０領域（ＬＯ３Ａ）内で第１方向と交差する第２方向に配列される第１０ルーティング配線（ＴＷ６９、ＴＷ８９、ＴＷ５ａ、ＴＷ７ａ、ＴＷ６ｂ、ＴＷ８ｂ、ＴＷ５ｃ、ＴＷ７ｃ）の長さはすべて同じである。
【０１４４】
したがって、本発明の第６の実施の形態に係るタッチセンサ一体型表示装置のルーティング配線とタッチ及び共通電極との接続関係と断面構造は、図６〜図９Ｂに関連して説明されたものと実質的に同じなので、それに対する詳細な説明は省略する。
【０１４５】
本発明の第６の実施の形態に係るタッチセンサ一体型表示装置によれば、同一のドライブＩＣに接続され同一方向に配列されたすべてのルーティング配線の長さが同一であるため、各タッチ及び共通電極にルーティング配線の長さ偏差に係る寄生静電容量の差を除去することができるようになる。したがって、第５の実施の形態に従うタッチセンサ一体型表示装置に比べて、タッチ精度を向上させることができる効果がある。
【０１４６】
図１３及び図１４に示された第５の実施の形態と第６の実施の形態に係るタッチセンサ一体型表示装置において、アクティブ領域（ＡＡ）は、アクティブ領域（ＡＡ）左右側の第１〜第４ＩＣ（ＩＣ＿Ｌ１、ＩＣ＿Ｌ２、ＩＣ＿Ｒ１、ＩＣ  Ｒ２）のための第１〜第４領域（Ｌ１Ａ、Ｌ２Ａ、Ｒ１Ａ、Ｒ２Ａ）とアクティブ領域（ＡＡ）上下側の第５乃至第１０ＩＣ（ＩＣ＿Ｕ１、ＩＣ＿Ｕ２、ＩＣ＿Ｕ３、ＩＣ＿ＬＯ１、ＩＣ＿ＬＯ２、ＩＣ＿ＬＯ３）のための第５〜第１０領域（Ｕ１Ａ、Ｕ２Ａ、Ｕ３Ａ、ＬＯ１Ａ、ＬＯ２Ａ、ＬＯ３Ａ）を含み、第１〜第４領域（Ｌ１Ａ、Ｌ２Ａ、Ｒ１Ａ、Ｒ２Ａ）それぞれの大きさとアクティブ領域（ＡＡ）の上下側の第５乃至第１０領域（Ｕ１Ａ、Ｕ２Ａ、Ｕ３Ａ、ＬＯ１Ａ、ＬＯ２Ａ、ＬＯ３Ａ）それぞれの大きさが異なる場合を例に挙げて説明したが、本発明がこれに限定されるものではない。アクティブ領域（ＡＡ）の左右に配置されるドライバＩＣのための領域と上下側のドライバＩＣのための領域の数や大きさは、必要に応じて調整することができる。
【０１４７】
次に、図１５を参照して、本発明の第１乃至第６の実施の形態に係るタッチセンサ一体型表示装置の駆動について説明する。
【０１４８】
図１５は、本発明の第１乃至第６の実施の形態に係るタッチセンサ一体型表示装置において、ディスプレイ駆動期間とタッチ駆動期間の動作を説明するための図である。図１５は、発明の説明を簡単かつ明瞭にするための１つのタッチ及び共通電極（Ｔｘ）に対応する領域のみを示している。
【０１４９】
図１５を参照すると、本発明の第１乃至第６の実施の形態に係るタッチセンサ一体型表示装置は、１フレーム期間（１Ｆ）毎にディスプレイ駆動期間（ＤＰ）とタッチ駆動期間（ＴＰ）に時分割駆動される。
【０１５０】
これとは異なり、本発明の第１乃至第６の実施の形態に係るタッチセンサ一体型表示装置は、１フレーム期間（１Ｆ）毎に交互に配置される複数のディスプレイ駆動期間と複数のタッチ駆動期間に時分割駆動されることができる。
【０１５１】
ドライブＩＣのそれぞれは、１フレーム期間（１Ｆ）のディスプレイ駆動期間（ＤＰ）の間、タッチ及び共通電極（Ｔｘ）に共通電圧（Ｖｃｏｍ）を供給し、タッチ駆動期間（ＴＰ）の間、タッチ及び共通電極（Ｔｘ）にタッチ駆動電圧（Ｖｔｓｐ）を供給する。
【０１５２】
一方、ディスプレイ駆動期間（ＤＰ）の間、ゲートドライバ（図示せず）を介して、ゲート電圧（ＶＧＨ、ＶＧＬ）がゲートライン（ＧＬ１、ＧＬ２）に順次供給され、データライン（ＤＬ１、ＤＬ２、ＤＬ３）には、ソースドライバ（図示せず）を介してデータ電圧（Ｖｄ１、Ｖｄ２、Ｖｄ３）が供給されアクティブ領域（ＡＡ）に映像が表示される。データ電圧はドライブＩＣを介して供給されることもある。
【０１５３】
タッチ駆動期間（ＴＰ）の間、ゲートライン（ＧＬ１、ＧＬ２）には、タッチ駆動電圧（Ｖｔｓｐ）と同一位相（phase）及び同一振幅（amplitude）の第１電圧（Ｖ１）が供給され、データライン（ＤＬ１、ＤＬ２、ＤＬ３）には、タッチ駆動電圧（Ｖｔｓｐ）と同一位相及び同一振幅の第２電圧（Ｖ２）が供給される。
【０１５４】
これをさらに具体的に説明すると、ドライブＩＣは、ディスプレイ駆動期間（ＤＰ）の間、タッチ及び共通電極（Ｔｘ）に第１マルチプレクサ（ＭＵＸ１）を介して共通電圧（Ｖｃｏｍ）を供給する。このとき、ゲートライン（ＧＬ１、ＧＬ２）には第２マルチプレクサ（ＭＵＸ２）を介してゲートハイ電圧（ＶＧＨ）が順次印加される。ゲートハイ電圧（ＶＧＨ）が供給されない残りのゲートラインには、ゲートロー電圧（ＶＧＬ）が印加される。また、データライン（ＤＬ１、ＤＬ２、ＤＬ３）には、第３マルチプレクサ（ＭＵＸ３）を介してデータ電圧（Ｖｄ１、Ｖｄ２、Ｖｄ３）がそれぞれ供給される。
【０１５５】
ドライブＩＣは、タッチ駆動期間（ＴＰ）においては、すべてのタッチ及び共通電極（Ｔｘ）に第１マルチプレクサ（ＭＵＸ１）を介してタッチ駆動電圧（Ｖｔｓｐ）を供給する。このとき、すべてのゲートライン（ＧＬ１、ＧＬ２）には第２マルチプレクサ（ＭＵＸ２）を介してタッチ駆動電圧（Ｖｔｓｐ）と同一位相及び同一振幅の第１電圧（Ｖ１）が供給され、データライン（ＤＬ１、ＤＬ２、ＤＬ３）には、第３マルチプレクサ（ＭＵＸ３）を介してタッチ駆動電圧（Ｖｔｓｐ）と同一位相及び同一振幅の第２電圧（Ｖ２）が供給される。
【０１５６】
ここで、第１電圧及び第２電圧（Ｖ１、Ｖ２）は、次の値を含むことができる。
（１）タッチ駆動電圧（Ｖｔｓｐ）の位相と同一位相を有し、タッチ駆動電圧の振幅の最大値及び最小値と同一の最大値及び最小値を有する電圧、
（２）タッチ駆動電圧（Ｖｔｓｐ）の位相と同一位相を有し、振幅の最大値と最小値との間の差の値がタッチ駆動電圧（Ｖｔｓｐ）の振幅の最大値と最小値との間の差の値と同じ電圧。
【０１５７】
前記の構成において、第１〜第３マルチプレクサ（ＭＵＸ１〜ＭＵＸ３）を、表示パネルに備えることができ、またドライブＩＣ（ＩＣ）が実装されたソースＰＣＢ（図示せず）上に配置することもできる。
【０１５８】
このように、本発明の第１乃至第６の実施の形態に係るタッチセンサ一体型表示装置に係れば、タッチ駆動期間（ＴＰ）の間、すべてのタッチ及び共通電極（Ｔｘ）に供給されるタッチ駆動電圧（Ｖｔｓｐ）と同一位相及び同一振幅の第１電圧及び第２電圧（Ｖ１、Ｖ２）がゲートライン（ＧＬ）とデータライン（ＤＬ）にもそれぞれ供給されるので、ルーティング配線（ＴＷ）とゲートライン（ＧＬ）との間、及びルーティング配線（ＴＷ）とデータライン（ＤＬ）との間に寄生静電容量が発生しないことになる。したがって、本発明の第１乃至第６の実施の形態に係るタッチセンサ一体型表示装置に係れば、寄生静電容量によって発生するタッチ感度の低下を防止することができる効果を得ることができる。
【０１５９】
また、本発明の第１乃至第６の実施の形態に係るタッチセンサ一体型表示装置によれば、ルーティング配線が互いに交差する両方向に配列されるので、表示装置の大型化に伴うタッチ及び共通電極の寸法の拡大またはルーティング配線に接続されないタッチ及び共通電極の存在によるタッチ感度の低下を防止することができるという効果を得ることができる。以上説明した内容を介して、当業者であれば、本発明の技術思想を逸脱しない範囲で様々な変更及び修正が可能であることがわかる。
【０１６０】
例えば、本発明の実施の形態に説明されるタッチ及び共通電極の数とルーティング配線の数、各共通電極に対応する画素電極の数は説明のための例示に過ぎず、本発明の権利範囲に影響を与えるためのものではないことを理解しなければならない。
【０１６１】
また、ドライバＩＣは、タッチ駆動電圧、共通電圧、第１電圧、第２電圧など各種電源を供給するための電源管理ＩＣ、タッチ及び共通電極のタッチセンシングのためのリードアウトＩＣ（Read Out Integrated Chip）、タッチセンシングされたタッチ及び共通電極のタッチ座標を演算するためのマイクロコントローラユニット（ＭＣＵ）、及びタッチ座標などを含む各種データを貯蔵するためのメモリの内、少なくとも一つを備えるように構成することもできる。したがって、本発明の技術的範囲は、発明の詳細な説明に記載された内容に限定されるものではなく、特許請求の範囲によって定めるべきである。
【０１６２】
以上説明した内容を介して、当業者であれば、本発明の技術思想を逸脱しない範囲で様々な変更及び修正が可能であることが分かる。たとえば、本発明の実施の形態で説明したタッチ及び共通電極の数とルーティング配線の数は説明のための例示に過ぎず、本発明の権利範囲に影響を与えるためのものではないことを理解しなければならない。したがって、本発明の技術的範囲は、発明の詳細な説明に記載された内容に限定されるものではなく、特許請求の範囲によって定められなければならない。
【図１】
2016126778.tif 000003
【図２】
2016126778.tif 000004
【図３】
2016126778.tif 000005
【図４】
2016126778.tif 000006
【図５】
2016126778.tif 000007
【図６】
2016126778.tif 000008
【図７Ａ】
2016126778.tif 000009
【図７Ｂ】
2016126778.tif 000010
【図８】
2016126778.tif 000011
【図９Ａ】
2016126778.tif 000012
【図９Ｂ】
2016126778.tif 000013
【図１０】
2016126778.tif 000014
【図１１】
2016126778.tif 000015
【図１２】
2016126778.tif 000016
【図１３】
2016126778.tif 000017
【図１４】
2016126778.tif 000018
【図１５】
2016126778.tif 000019